(57)【要約】【課題】２つの図柄のうち一方の図柄を優先変動させる遊技機において、遊技興趣を向上させる。【解決手段】第１当否判定情報と第２当否判定情報が記憶されている場合に、第２図柄の変動表示を優先し、第１当否判定に先立ち、第１当否判定情報が第１当否判定で大当りを発生させるかを判定する事前判定を行い、事前判定で大当りを発生させると判定された場合に、第１当否判定情報が大当り情報であることを予告する遊技機において、大当り遊技の終了後に第２始動口の開放パターンを変更して第２始動口への遊技球入球頻度を向上させる際に、大当り情報の種類に応じて第２始動口の遊技球入球頻度を設定する。【選択図】図３
2010029264.tif 000002
【特許請求の範囲】
【請求項１】
遊技球の入球可能性が一定とされる固定式の第１始動口と、
遊技球の入球が困難な通常状態と遊技球の入球が容易な開放状態とに切り替え可能な可変式の第２始動口と、
前記第１始動口への遊技球の入球に基づいて第１当否判定情報を取得して記憶する第１保留記憶手段と、
前記第２始動口への遊技球の入球に基づいて第２当否判定情報を取得して記憶する第２保留記憶手段と、
前記第１保留記憶手段により第１当否判定情報が記憶されている場合に、該第１当否判定情報を用いた第１当否判定の実行を伴って第１図柄表示部で第１図柄の変動表示を開始するとともに、前記第１当否判定の結果が大当りである場合に、前記第１図柄を所定の大当り図柄で停止表示させる第１図柄表示制御手段と、
前記第２保留記憶手段により第２当否判定情報が記憶されている場合に、該第２当否判定情報を用いた第２当否判定の実行を伴って第２図柄表示部で第２図柄の変動表示を開始するとともに、前記第２当否判定の結果が大当りである場合に、前記第２図柄を所定の大当り図柄で停止表示させる第２図柄表示制御手段と、
前記第１保留記憶手段により前記第１当否判定情報が記憶されており、かつ、前記第２保留記憶手段により前記第２当否判定情報が記憶されている場合に、前記第１図柄の変動表示に優先して前記第２図柄の変動表示を行わせる第２図柄優先変動を行う第２図柄優先変動手段と、
前記第１当否判定の結果または前記第２当否判定の結果が前記大当りである場合に、遊技者に有利な大当り遊技を実行する大当り遊技実行手段と、
前記第１当否判定の実行に先立ち、前記第１保留記憶手段に記憶されている前記第１当否判定情報が前記第１当否判定の結果として前記大当りを導出する大当り情報であるか否かを判定する第１図柄事前判定を行う第１図柄事前判定手段と、
前記第２始動口を前記開放状態にする頻度を高めることで、該第２始動口に対する遊技球入球頻度を向上させる入球頻度向上手段と、
所定条件が成立することで、前記第２始動口を所定の開放パターンにて前記開放状態にする第２始動口開放手段と、
前記入球頻度向上手段により前記第２始動口への遊技球入球頻度が向上されているときに、前記第１図柄事前判定手段により前記第１当否判定情報が前記大当り情報であると判定された場合に、前記開放パターンを該大当り情報により導出される前記大当りの種類に応じて設定する開放パターン設定手段とを備えることを特徴とする遊技機。
【請求項２】
前記特別遊技の終了後、前記第１当否判定および前記第２当否判定の結果が大当りとなる確率を向上させる確率変動手段を備え、
前記開放パターン設定手段は、前記第１当否判定情報が前記確率変動手段の作動開始の契機となる大当りを導出する確変大当り情報であると判定された場合には、前記第２始動口に遊技球が入球し難い開放パターンを設定することで、該第２始動口への遊技球入球頻度を低下させ、前記第１図柄事前判定手段により前記第１当否判定情報が前記確率変動手段の作動開始の契機とならない大当りを導出する通常大当り情報であると判定された場合には、前記第２始動口に遊技球が入球し易い開放パターンを設定することで、該第２始動口への遊技球入球頻度を向上させることを特徴とする請求項１に記載の遊技機。
【請求項３】
前記開放パターン設定手段は、前記第１図柄事前判定手段により前記第１当否判定情報が前記通常大当り情報であると判定された場合には、前記第２保留記憶手段による前記第２当否判定情報の保留数が所定数を下回っていることを条件に、前記第２始動口に遊技球が入球し易い開放パターンを設定することを特徴とする請求項２に記載の遊技機。
【請求項４】
前記大当り遊技実行手段により実行される前記大当り遊技には、遊技盤上に設けられた可変入球口が遊技球が入球容易な開放状態となってから遊技球が入球困難な閉鎖状態となるまでのラウンドが複数回行われる第１大当り遊技と、前記可変入球口の開放時間が前記第１大当り遊技より短く、かつ、前記ラウンドの数が前記第１大当り遊技より少ない第２大当り遊技とが含まれており、
前記開放パターン設定手段は、前記第１図柄事前判定手段により前記第１当否判定情報が前記第１大当り遊技の開始の契機となる大当りを導出する第１大当り情報であると判定された場合には、前記第２始動口に遊技球が入球し難い開放パターンを設定することで、該第２始動口への遊技球入球頻度を低下させ、前記第１図柄事前判定手段により前記第１当否判定情報が前記第２大当り遊技の開始の契機となる大当りを導出する第２大当り情報であると判定された場合には、前記第２始動口に遊技球が入球し易い開放パターンを設定することで、該第２始動口への遊技球入球頻度を向上させることを特徴とする請求項１に記載の遊技機。
【請求項５】
前記開放パターン設定手段は、前記第１図柄事前判定手段により前記第１当否判定情報が前記第２大当り情報であると判定された場合には、前記第２保留記憶手段による前記第２当否判定情報の保留数が所定数を下回っていることを条件に、前記第２始動口に遊技球が入球し易い開放パターンを設定することを特徴とする請求項４に記載の遊技機。
【発明の詳細な説明】
【技術分野】
【０００１】
本発明は、遊技機に関し、特に、いわゆるセブン機、羽根物、権利物といったパチンコ遊技機や組合せ式遊技機（アレンジボール遊技機）等の遊技機（弾球遊技機）に関する。
【背景技術】
【０００２】
パチンコ遊技機では、始動口への遊技球入球数を保留数として記憶しておき、保留数が１以上の場合に当否判定を行うと同時に特別図柄を変動表示開始させて保留数を減少（消化）させる。そして、当否判定結果が大当りの場合には特別図柄を大当り図柄で停止表示させ、大当り状態を発生させるように構成されている。このようなパチンコ遊技機において、２種類の特別図柄が設けられた遊技機が提案されている（特許文献１参照）。この遊技機では、第２特別図柄の保留が存在する場合には、第１特別図柄の保留数に関係なく、第２特別図柄を第１特別図柄より優先的に変動表示させるように構成されている。
【特許文献１】特開２００７−２６８１２６号公報
【発明の開示】
【発明が解決しようとする課題】
【０００３】
しかしながら、上記特許文献１のように第２特別図柄の優先変動を採用している遊技機では、優先順位が低い第１特別図柄の保留に大当りが発生しても、第２特別図柄の保留が存在する限り、第１特別図柄の保留による大当りが発生しないという問題がある。また、例えば第１特別図柄の保留が確率変動機能を作動させる確変大当りであり、第２特別図柄の保留が通常大当りである場合には、通常大当りが優先的に発生し、遊技者にとって不利になる。これらのことは、遊技者の興趣を低下させる原因となる。
【０００４】
そこで、本発明は上記点に鑑み、２つの図柄のうち一方の図柄を優先変動させる遊技機において、遊技興趣を向上させることを目的とする。
【課題を解決するための手段】
【０００５】
上記目的を達成するため、本発明の遊技機は、遊技球の入球可能性が一定とされる固定式の第１始動口と、遊技球の入球が困難な通常状態と遊技球の入球が容易な開放状態とに切り替え可能な可変式の第２始動口と、前記第１始動口への遊技球の入球に基づいて第１当否判定情報を取得して記憶する第１保留記憶手段と、前記第２始動口への遊技球の入球に基づいて第２当否判定情報を取得して記憶する第２保留記憶手段と、前記第１保留記憶手段により第１当否判定情報が記憶されている場合に、該第１当否判定情報を用いた第１当否判定の実行を伴って第１図柄表示部で第１図柄の変動表示を開始するとともに、前記第１当否判定の結果が大当りである場合に、前記第１図柄を所定の大当り図柄で停止表示させる第１図柄表示制御手段と、前記第２保留記憶手段により第２当否判定情報が記憶されている場合に、該第２当否判定情報を用いた第２当否判定の実行を伴って第２図柄表示部で第２図柄の変動表示を開始するとともに、前記第２当否判定の結果が大当りである場合に、前記第２図柄を所定の大当り図柄で停止表示させる第２図柄表示制御手段と、前記第１保留記憶手段により前記第１当否判定情報が記憶されており、かつ、前記第２保留記憶手段により前記第２当否判定情報が記憶されている場合に、前記第１図柄の変動表示に優先して前記第２図柄の変動表示を行わせる第２図柄優先変動を行う第２図柄優先変動手段と、前記第１図柄または前記第２図柄が前記大当り図柄で停止表示した場合に、遊技者に有利な大当り遊技を実行する大当り遊技実行手段と、前記第１当否判定の実行に先立ち、前記第１保留記憶手段に記憶されている前記第１当否判定情報が前記第１当否判定の結果として前記大当りを導出する大当り情報であるか否かを判定する第１図柄事前判定を行う第１図柄事前判定手段と、前記第２始動口を前記開放状態にする頻度を高めることで、該第２始動口に対する遊技球入球頻度を向上させる入球頻度向上手段と、所定条件が成立することで、前記第２始動口を所定の開放パターンにて前記開放状態にする第２始動口開放手段と、前記入球頻度向上手段により前記第２始動口への遊技球入球頻度が向上されているときに、前記第１図柄事前判定手段により前記第１当否判定情報が前記大当り情報であると判定された場合に、前記開放パターンを該大当り情報により導出される前記大当りの種類に応じて設定する開放パターン設定手段とを備えることを特徴としている。なお、「第２始動口を前記開放状態にする頻度を高める」とは、通常時に比して第２始動口の開放時間を延長させたり、第２始動口の開放回数を増加させたり、第２始動口の開放角度を増大させたりすること等を意味する。
【０００６】
このように、事前判定で第１特別図柄当否判定情報が大当り情報であると判定された場合に、大当り情報の種類に応じて第２始動口の開放パターンを設定することで、大当りの種類により第１特別図柄事前判定の対象となった第１特別図柄の変動表示が開始するまでの第２始動口への遊技球の入球頻度を変化させることができる。これにより、第１特別図柄事前判定の対象となった第１特別図柄の変動表示に起因する大当り発生時期を変化させることができる。この結果、新規な遊技性を提供することができ、遊技興趣を向上させることができる。
【０００７】
また、本発明は、前記特別遊技の終了後、前記第１当否判定および前記第２当否判定の結果が大当りとなる確率を向上させる確率変動手段を備え、前記開放パターン設定手段は、前記第１当否判定情報が前記確率変動手段の作動開始の契機となる大当りを導出する確変大当り情報であると判定された場合には、前記第２始動口に遊技球が入球し難い開放パターンを設定することで、該第２始動口への遊技球入球頻度を低下させ、前記第１図柄事前判定手段により前記第１当否判定情報が前記確率変動手段の作動開始の契機とならない大当りを導出する通常大当り情報であると判定された場合には、前記第２始動口に遊技球が入球し易い開放パターンを設定することで、該第２始動口への遊技球入球頻度を向上させることを特徴としている。
【０００８】
これにより、第１当否判定情報が前記確率変動手段の作動開始の契機となる確変大当りを導出するものである場合には、第２始動口に遊技球が入球し難い開放パターンを設定することで、該第２始動口への入球頻度を低下させて、第２当否判定が実行される頻度を低下させることができる（第２図柄の保留をゼロにする）。この結果、事前判定の対象となった第１図柄の変動表示に起因する確変大当り遊技が発生する前に、第２図柄の保留に起因して遊技者に不利な通常大当りが発生する機会を減少させることができる。また、第１当否判定情報が前記確率変動手段の作動開始の契機とならない通常大当りを導出するものである場合には、第２始動口に遊技球が入球し易い開放パターンを設定することで、該第２始動口への入球頻度を増加させて、第２当否判定が実行される頻度を増加させることができる（第２図柄の保留をゼロにならないようにする）。この結果、事前判定の対象となった第１図柄の変動表示に起因する通常大当り遊技が発生する前に、第２図柄の保留に起因して遊技者に有利な確変大当りが発生する機会を増加させることができる。
【０００９】
また、本発明は、前記大当り遊技実行手段により実行される前記大当り遊技には、遊技盤上に設けられた可変入球口が遊技球が入球容易な開放状態となってから遊技球が入球困難な閉鎖状態となるまでのラウンドが複数回行われる第１大当り遊技と、前記可変入球口の開放時間が前記第１大当り遊技より短く、かつ、前記ラウンドの数が前記第１大当り遊技より少ない第２大当り遊技とが含まれており、
前記開放パターン設定手段は、前記第１図柄事前判定手段により前記第１当否判定情報が前記第１大当り遊技の開始の契機となる大当りを導出する第１大当り情報であると判定された場合には、前記第２始動口に遊技球が入球し難い開放パターンを設定することで、該第２始動口への遊技球入球頻度を低下させ、前記第１図柄事前判定手段により前記第１当否判定情報が前記第２大当り遊技の開始の契機となる大当りを導出する第２大当り情報であると判定された場合には、前記第２始動口に遊技球が入球し易い開放パターンを設定することで、該第２始動口への遊技球入球頻度を向上させることを特徴としている。
【００１０】
これにより、第１当否判定情報が遊技者に有利な第１大当り遊技を開始させるものである場合には、第２始動口に遊技球が入球し易い開放パターンを設定することで、該第２始動口への入球頻度を低下させて、第２当否判定が実行される頻度を低下させることができる（第２図柄の保留をゼロにする）。この結果、事前判定の対象となった第１図柄の変動表示に起因する第１大当り（有利な大当り）が発生する前に、第２図柄の保留に起因して第２大当り（不利な大当り）が発生する機会を減少させることができる。また、第１当否判定情報が遊技者に不利な第２大当り遊技を開始させるものである場合には、第２始動口に遊技球が入球し易い開放パターンを設定することで、該第２始動口への入球頻度を増加させて、第２当否判定が実行される頻度を増加させることができる（第２図柄の保留がゼロにならないようにする）。この結果、第２図柄の保留に起因する第１大当りが発生する機会を増加させることができ、事前判定の対象となった第１図柄の変動表示に起因する第２大当り遊技が発生する前に、第２図柄の保留に起因して第１大当りが発生する機会を増加させることができる。
【００１１】
また、本発明は、前記開放パターン設定手段は、前記第１図柄事前判定手段により前記第１当否判定情報が前記通常大当り情報または前記第２大当り情報であると判定された場合には、前記第２保留記憶手段による前記第２当否判定情報の保留数が所定数を下回っていることを条件に、前記第２始動口に遊技球が入球し易い開放パターンを設定することを特徴としている。これにより、既に第２特別図柄保留数が多く存在する場合に、第２始動口への入球頻度を高めてしまい、遊技者に有利になり過ぎること（賞球が多くなり過ぎること等）を抑制できる。
【発明を実施するための最良の形態】
【００１２】
（第１実施例）
以下、本発明の実施例について図面を用いて説明する。本発明の遊技機をパチンコ遊技機（以下、単に遊技機という）に適用した実施例を図面に示す。
【００１３】
図１は、本実施例の遊技機１の正面図である。図１に示すように、遊技機１の前面部は、本体枠２、中枠３、前面枠４、上皿部５、下皿部６、施錠装置９、遊技盤２０等を備えている。なお、図１では遊技盤２０の詳細な図示を省略している。また、中枠３は前面枠４等が前面側に配置されているため、図１においては明示されていない。
【００１４】
本体枠２は木製の板状体を略長方形の枠状に組立てたものであり、遊技機１の外枠を構成している。中枠３はプラスチック製であり、本体枠２の内側にはめ込まれて設置されており、外枠２に対して開閉可能に左端で軸支されている。中枠３は、上側２／３程度を占める枠体部と下側１／３程度を占める下板部とから構成されている。枠体部の前面側には遊技盤２０と前面枠４とが重なるように設けられており、下板部の前面側には上皿部５と下皿部６が設けられている。下板部には、遊技球を遊技盤２０に発射する発射手段を構成する発射装置ユニット（図示略）、遊技球を発射装置ユニットに供給する球送り装置（図示略）が設けられている。
【００１５】
前面枠４は、中枠３の前面側に配置され、中枠３の左端で開閉可能に支持されている。前面枠４はプラスチック製であり、奥側に配置される遊技盤２０の盤面を視認可能にするために、円形状の開口部４ａが形成されている。前面枠４の裏面には、開口部４ａに対応したガラス板等の透明板を備える略長方形状の透明板枠（図示略）が装着されている。前面枠４における遊技盤２０の周囲には、ＬＥＤ等のランプ類（図示略）が設けられている。これらのランプ類は、遊技効果を高めるためにゲーム進行に応じて点灯・消灯あるいは点滅する。
【００１６】
上皿部５は、前面枠４の下側に設けられ、中枠３の左端に開閉可能に支持されている。上皿部５は、皿外縁部５ａと、遊技機１の内部から遊技球を排出するための排出口５ｂと、上皿部５の遊技球を下皿部６に排出する球抜きボタン５ｃとを備えている。皿外縁部５ａの上面には、演出ボタン５ｄ（操作手段）や球貸ボタン５ｅ等が設けられている。演出ボタン５ｄは、皿外縁部５ａの上面に突出して設けられており、遊技者が押圧操作することで下方に移動するとともに、押圧を解くことで図示しない弾性手段（例えばバネ部材）により上方に移動する出没式の押しボタンとして構成されている。
【００１７】
下皿部６は、上皿部５の下方に設けられている。下皿部６の略中央には、遊技機１の内部から下皿部６に遊技球を排出するための排出口６ａが設けられている。下皿部６の左端には灰皿７が設けられている。下皿部６の右端には、遊技者が発射装置ユニット（図示略）を操作するための発射ハンドル８が設けられている。発射ハンドル８には、遊技者が触れていることを検出する接触検知手段としてのタッチスイッチ８ａが設けられている。発射ハンドル８の左側面には、遊技者が操作して遊技球の発射を一時的に停止する発射停止スイッチ８ｂが配置されている。
【００１８】
施錠装置９は、中枠３の右端中央に設けられており、前面枠４を閉じた場合にこれを施錠するためのものである。
【００１９】
また、遊技機１には、遊技状態に応じた効果音等を発生させるためのスピーカ１０ａ〜１０ｄが設けられている。スピーカ１０ａ〜１０ｄは、遊技機１の上部に設けられた上部スピーカ１０ａ、１０ｂと遊技機１の下部に設けられた下部スピーカ１０ｃ、１０ｄとからなる。さらに、遊技機１の左側には、プリペイドカードユニット１３（ＣＲユニット）が装着されている。
【００２０】
次に、本実施例の遊技盤２０の表面構造について説明する。図２は遊技盤２０の正面図である。遊技盤２０は、略長方形の木製の板状体であって中枠３に着脱可能に取り付けられているとともに、裏機構盤（図示略）によりその背面側が覆われている。
【００２１】
図２に示すように、遊技盤２０には、遊技盤２０の表面（盤面）に設けられた外レール２２と内レール２３とにより、略円形状の遊技領域２１が形成されている。遊技領域２１内には、中央装置２４、普通図柄作動ゲート２７、大入賞装置（特別電動役物）３３、始動口２８、左入賞口３４，３５、右入賞口３６，３７、第１装飾部材５０、第２装飾部材６０等の遊技装置が配設されている。また、遊技領域２１には各遊技装置との位置バランスを考慮して多数の障害釘が配設されている。
【００２２】
中央装置（センター役物）２４は遊技領域２１の略中央部に配置され、演出表示装置２５を備えている。本実施例では、演出表示装置２５として大型の液晶表示装置を用いており、演出表示装置２５の表示領域では各種演出表示が行われる。
【００２３】
大入賞装置３３は遊技領域２１における中央装置２４の下方に配置されている。第１装飾装置５０は遊技領域２１における大入賞装置３３の左側に配置され、第２装飾装置６０は遊技領域２１における大入賞装置３３の右側に配置されており、装飾装置５０，６０はいわゆるサイド飾りを構成している。また、第１装飾装置５０には左入賞口３４，３５が一体化されており、第２装飾装置６０には右入賞口３６，３７が一体化されている。
【００２４】
普通図柄作動ゲート２７は、中央装置２４の左側に設けられている。普通図柄作動ゲート２７の内部には、遊技球の通過を検知する普通図柄作動ゲート検知スイッチ２７ｓ（図４参照）が設けられている。遊技球が普通図柄作動ゲート２７を通過することで、普通図柄が変動開始する。
【００２５】
始動口２８は、中央装置２４の中央位置の下方に設けられている。始動口２８は、遊技盤２０の盤面上を流下する遊技球を受け入れる遊技球受入口が形成された２つの入球口を上下方向に並べて配置したもので、上側に設けられた第１始動口２８ａと下側に設けられた第２始動口２８ｂとから構成されている。
【００２６】
第１始動口２８ａは、遊技球受入口の大きさが変化せず遊技球の入球可能性が一定とされる固定式の始動口として構成されており、遊技球の入球が常時可能となっている。一方、第２始動口２８ｂはいわゆるチューリップ式で左右に一対の翼片部を備えており、この一対の翼片部の上端間隙が遊技球受入口となっている。この一対の翼片部は、各々左右方向に傾動することで開閉動作を行うものとされており、この開閉動作により、第２始動口２８ｂは一対の翼片部の遊技球受入口の大きさが変化する可変式の始動口として構成されている。第２始動口２８ｂは、一対の翼片部が開動作することで入球可能性が高い状態となり、一対の翼片部が閉動作することで入球可能性が低い状態（入球不能な状態を含む）となる。普通図柄が当り図柄の組合せで停止表示された場合には、一対の翼片部が開動作して第２始動口２８ｂの遊技球受入口が拡大され、第２始動口２８ｂは普通電動役物として機能する。
【００２７】
始動口２８の内部には、遊技球の入球を検知する始動口入球検知スイッチ２８ｓ（図４参照）と、一対の翼片部を作動させるための始動口ソレノイド２８ｃ（図４参照）とが備えられている。この一対の翼片部が左右に開動作した場合には、第２始動口２８ｂの遊技球受入口の大きさが通常時より拡大され、第２始動口２８ｂは遊技球の入球可能性が大きくなる開放状態となる。一方、一対の翼片部が立設された場合には、第２始動口２８ｂの遊技球受入口の大きさが遊技球の直径より僅かに大きい（遊技球１個が通過可能な）通常の大きさとされ、第２始動口２８ｂは遊技球の入球可能性が小さくなる（または入球不能となる）通常状態（閉鎖状態）となる。遊技球が始動口２８ａ、２８ｂに入球することで、後述の特別図柄が変動開始する。本実施例の遊技機１は２種類の特別図柄を有しており、遊技球が第１始動口２８ａに入球することで、第１特別図柄が変動開始し、遊技球が第２始動口２８ｂに入球することで、第２特別図柄が変動開始する。
【００２８】
大入賞装置３３は、始動口２８の下方に配設されている。ここで、大入賞装置３３は、帯状に開口された大入賞口３３ａと、この大入賞口３３ａを開放・閉鎖する開閉板３３ｂと、この開閉板３３ｂを作動させるための大入賞口ソレノイド３３ｃ（図４参照）と、遊技球の入球を検知する入球検知スイッチ３３ｓ（図４参照）とから主に構成されている。なお、大入賞口３３ａが本発明の可変入球口に相当している。
【００２９】
大入賞装置３３の左斜め上方と右斜め上方には、左入賞口３４，３５と右入賞口３６，３７が設けられている。これら入賞口の内部には、それぞれ入賞口入球検知スイッチ（図示せず）が設けられている。
【００３０】
第１装飾部材５０には、複数のＬＥＤが設けられており、これらのＬＥＤの組合せにより、普通図柄表示部５１、普図保留表示部５２、第１特別図柄保留表示部５３、第２特別図柄保留表示部５４が構成されている。同様に第２装飾部材６０には、複数のＬＥＤが設けられており、これらのＬＥＤの組合せにより、第１特別図柄表示部６１、第２特別図柄表示部６２が構成されている。
【００３１】
普通図柄表示部５１は、１個のＬＥＤから構成されており、このＬＥＤにより普通図柄の表示が行われる。普通図柄表示部５１では、普通図柄の変動表示及び停止表示が行われる。普通図柄表示部５１では、普通図柄作動ゲート２７を遊技球が通過することにより普通図柄が変動開始し、所定時間経過後に普通図柄が当り普通図柄の表示態様あるいは外れ普通図柄の表示態様で停止表示される。そして、普通図柄が予め設定された当り普通図柄の表示態様で停止表示すると、第２始動口２８ｂが所定時間（例えば０．１秒）だけ開放される。
【００３２】
本実施例では、普通図柄当否判定用乱数が用意されており、この普通図柄当否判定用乱数は、遊技球が普通図柄作動ゲート２７を通過した際に、第２始動口２８ｂを作動させるか否かの普通図柄当否判定に用いられる。普通図柄当否判定用乱数には、予め当り値が設定されており、遊技球が普通図柄作動ゲート２７を通過したタイミングで取得された普通図柄当否判定用乱数が当り値と一致する場合に当りと判定される。そして、当りと判定された場合には、普通図柄表示部５１で停止表示される普通図柄は、当り普通図柄の表示態様に決定される。一方、外れと判定された場合（取得された普通図柄当否判定用乱数が当り値と一致しない場合）には、普通図柄表示部５１で停止表示される普通図柄は外れ普通図柄の表示態様に決定される。なお、普通図柄当否判定および普通図柄の停止図柄の決定は、後述の主制御基板２００のＣＰＵ２００ａによって行われる。
【００３３】
ここで、普通図柄の保留について説明する。普図保留表示部５２には普通図柄保留数が表示され、普通図柄作動ゲート２７を通過した遊技球の数を最大保留数（本実施例では４個）まで保留可能となっている。そして、次回の普通図柄当否判定が行われ普通図柄の変動表示が開始する毎に、未始動回数（保留数）が消化され、普通図柄保留数が１個ずつ減少する。普図保留表示部５２は２つのＬＥＤからなり、２個のＬＥＤの消灯、点灯、および点滅を組み合わせることで、４個を上限として保留数を表示することができる。普通図柄の保留および保留消化は、後述の主制御基板２００のＣＰＵ２００ａによって行われる。普通図柄の保留に伴って、普通図柄当否判定用乱数が主制御基板２００のＲＡＭの所定領域に記憶される。
【００３４】
次に、特別図柄について説明する。第１特別図柄表示部６１と第２特別図柄表示部６２は、それぞれ７個のＬＥＤから構成されており、これらのＬＥＤにより第１特別図柄と第２特別図柄が表示される。これらの特別図柄表示部６１、６２を構成する各ＬＥＤは、点灯および消灯が可能となっており、これら各ＬＥＤの点灯および消灯の組合せにより特別図柄の複数の表示態様を表示できる。そして、７個のＬＥＤで表示される特別図柄の組合わせのうち、特定の組合せが当り特別図柄（大当り図柄）として設定されており、当り特別図柄以外が外れ特別図柄（外れ図柄）と設定されている。本実施例では、特別図柄の変動表示を各ＬＥＤが点灯と消灯を繰り返す点滅表示で行うものとしている。なお、本実施例では、大当り図柄が複数設定されており、具体的には、後述のように「確変大当り図柄」と「通常大当り図柄」とが設定されている。
【００３５】
第１特別図柄表示部６１では、第１始動口２８ａに遊技球が入球することにより第１特別図柄が変動開始し、所定時間経過後に第１特別図柄が大当り図柄あるいは外れ図柄で停止表示される。第２特別図柄表示部６２では、第２始動口２８ｂに遊技球が入球することにより第２特別図柄が変動開始し、所定時間経過後に第２特別図柄が大当り図柄あるいは外れ図柄で停止表示される。第１特別図柄表示部６１の第１特別図柄と第２特別図柄表示部６２の第２特別図柄は、同時に変動表示しないように構成されている。つまり、始動口２８ａ、２８ｂのうち一方に遊技球が入球し、この入球に対応して特別図柄表示部６１、６２のうち一方で特別図柄が変動表示している際に、他方の始動口に遊技球が入球した場合には、他方の特別図柄表示部での特別図柄の変動は保留される。なお、第１特別図柄が本発明の第１図柄に相当し、第１特別図柄表示部６１が本発明の第１図柄表示部に相当し、第２特別図柄が本発明の第２図柄に相当し、第２特別図柄表示部６２が本発明の第２図柄表示部に相当している。
【００３６】
本実施例では、遊技球が第１始動口２８ａに入球した際に取得され、大当り遊技（特別遊技）を実行するか否かの第１特別図柄当否判定に用いられる第１特別図柄当否判定用乱数と、遊技球が第２始動口２８ｂに入球した際に取得され、大当り遊技（特別遊技）を実行するか否かの第２特別図柄当否判定に用いられる第２特別図柄当否判定用乱数が設けられている。さらに、第１特別図柄の停止図柄を決定するための第１特別図柄決定用乱数と第２特別図柄の停止図柄を決定するための第２特別図柄決定用乱数とが設けられている。
【００３７】
第１始動口２８ａの遊技球入球に伴って、第１特別図柄当否判定用乱数と第１特別図柄決定用乱数が取得され、この取得された第１特別図柄当否判定用乱数と第１特別図柄決定用乱数は、主制御基板２００のＲＡＭの所定領域（第１保留記憶領域）に記憶される。また、第２始動口２８ｂの遊技球入球に伴って、第２特別図柄当否判定用乱数と第２特別図柄決定用乱数が取得され、主制御基板２００のＲＡＭの所定領域（第２保留記憶領域）に記憶される。なお、第１特別図柄当否判定用乱数および第１特別図柄決定用乱数が本発明の第１当否判定情報に相当し、第２特別図柄当否判定用乱数および第２特別図柄決定用乱数が本発明の第２当否判定情報に相当している。
【００３８】
ここで、特別図柄の保留について説明する。第１特別図柄保留表示部５３と第２特別図柄保留表示部５４はそれぞれ２つのＬＥＤからなり、２個のＬＥＤの消灯、点灯、および点滅を組み合わせることで、それぞれ４個を上限として保留数を表示することができる。
【００３９】
第１始動口２８ａに入球した遊技球数は、第１特別図柄保留数として最大保留数（本実施例では４個）に達するまで保留可能となっている。第１特別図柄保留数は、第１始動口２８ａへの遊技球の入球が発生する度に取得されて主制御基板２００のＲＡＭの所定領域（第１保留記憶領域）に記憶される第１特別図柄当否判定用乱数の個数（記憶数）に相当する。本実施例では、第１始動口２８ａへの遊技球の入球に伴い、第１特別図柄当否判定用乱数とともに第１特別図柄決定用乱数も取得されるので、第１特別図柄保留数は、第１特別図柄決定用乱数の記憶個数にも相当する。そして、第１特別図柄保留数は、第１特別図柄当否判定が行われ第１特別図柄の変動表示が開始される毎に消化され、１個ずつ減少する。
【００４０】
第２始動口２８ｂに入球した遊技球数は、第２特別図柄保留数として最大保留数（本実施例では４個）に達するまで保留可能となっている。第２特別図柄保留数は、第２始動口２８ｂへの遊技球の入球が発生する度に取得されて主制御基板２００のＲＡＭの所定領域（第２保留記憶領域）に記憶される第２特別図柄当否判定用乱数の個数（記憶数）に相当する。本実施例では、第２始動口２８ｂへの遊技球の入球に伴い、第２特別図柄当否判定用乱数とともに第２特別図柄決定用乱数も取得されるので、第２特別図柄保留数は、第２特別図柄決定用乱数の記憶個数にも相当する。そして、第２特別図柄保留数は、第２特別図柄当否判定が行われ第２特別図柄の変動表示が開始される毎に消化され、１個ずつ減少する。
【００４１】
なお、第１、第２特別図柄の保留および保留消化は、後述の主制御基板２００のＣＰＵ２００ａによって行われるもので、この主制御基板２００のＣＰＵ２００ａおよび主制御基板２００のＲＡＭが、本発明の第１保留記憶手段および第２保留記憶手段に相当している。
【００４２】
特別図柄当否判定用乱数には、当否判定用の当り値が設定されており、遊技球が第１始動口２８ａまたは第２始動口２８ｂに入球したタイミングで取得された特別図柄当否判定用乱数が当り値と一致する場合に大当りと判定される。本実施例では、当否判定用乱数が１〜５９９の６００個、当否判定用の当り値が「１、３」の２個であり、通常遊技時の当選確率が１／３００となっている。第１特別図柄当否判定は、第１特別図柄が変動表示を開始する際に行われ、第２特別図柄当否判定は、第２特別図柄が変動表示を開始する際に行われる。そして、第１特別図柄当否判定の結果が大当りの場合には、第１特別図柄表示部６１で停止表示される第１特別図柄は大当り図柄（確変大当り図柄または通常大当り図柄）に決定され、第２特別図柄当否判定の結果が大当りの場合には、第２特別図柄表示部６２で停止表示される第２特別図柄は大当り図柄（確変大当り図柄または通常大当り図柄）に決定される。なお、第１特別図柄の大当り図柄の種類は第１特別図柄決定用乱数に基づき決定され、第２特別図柄の大当り図柄の種類は第２特別図柄決定用乱数に基づき決定される。
【００４３】
一方、第１特別図柄当否判定が外れの場合には、第１特別図柄表示部６１で停止表示される第１特別図柄が外れ図柄に決定され、第２特別図柄当否判定が外れの場合には第２特別図柄表示部６２で停止表示される第２特別図柄が外れ図柄に決定される。
【００４４】
第１特別図柄および第２特別図柄は、所定の変動パターンにしたがって変動表示するように構成されている。この変動パターンは、特別図柄の変動時間や、その変動におけるリーチ演出の有無（演出内容）を規定するものである。第１特別図柄および第２特別図柄の変動パターンは、第１特別図柄当否判定および第２特別図柄当否判定が実行される際に、複数の変動パターンが格納された変動パターンテーブル（変動パターン記憶手段）から抽選により選択される。
【００４５】
第１特別図柄および第２特別図柄の変動パターンテーブルは、それぞれ複数用意されており、遊技状態に応じて選択されて用いられる。これらの複数の変動パターンテーブルには、当否判定結果が大当りの場合に選択される当り変動パターンテーブルと、当否判定結果が外れの場合に選択される外れ変動パターンテーブルとが含まれている。
【００４６】
本実施例の遊技機１では、第１始動口２８ａに遊技球が入球して保留が発生した場合、換言すると、第１始動口２８ａへの遊技球の入球に伴い取得される第１特別図柄当否判定用乱数および第１特別図柄決定用乱数が、主制御基板２００のＲＡＭの所定領域（第１保留記憶領域）に記憶された場合には、第１特別図柄当否判定に先立ち、保留された第１特別図柄当否判定用乱数が当否判定用の当り値と一致しているか否かを、その保留発生時に判定する事前判定処理が行われる。そして、事前判定処理で第１特別図柄当否判定用乱数が当否判定用の当り値と一致していると判定された場合には、第１特別図柄保留当りフラグがＯＮに設定される。第１特別図柄保留当りフラグは、第１特別図柄の保留内に「当り」が存在することを示すフラグである。本実施例の第１特別図柄保留当りフラグには、第１特別図柄当否判定用乱数が通常大当りを発生させる当り値と一致している場合にＯＮに設定される第１特別図柄保留通常当りフラグと、第１特別図柄当否判定用乱数が確変大当りを発生させる当り値と一致している場合にＯＮに設定される第１特別図柄保留確変当りフラグとが含まれている。
【００４７】
また、本実施例の遊技機１では、第２特別図柄の変動表示を第１特別図柄より優先的に実行する第２特別図柄優先変動処理が行われるように構成されている。つまり、第１特別図柄保留数と第２特別図柄保留数の双方が１以上である場合には、第１特別図柄より第２特別図柄が優先的に変動開始し、第２特別図柄の保留が優先的に消化される。そして、第１特別図柄保留数が１以上で、かつ、第２特別図柄保留数がゼロとなった場合に、第１特別図柄の変動表示が実行される。
【００４８】
また、特別図柄当否判定、特別図柄の変動態様の決定、特別図柄の停止図柄の決定、事前判定処理、第２特別図柄の優先変動は、後述の主制御基板２００のＣＰＵ２００ａによって行われるように構成されている。主制御基板２００のＣＰＵ２００ａが本発明の第１図柄表示制御手段、第２図柄表示制御手段、第１図柄事前判定手段、第２図柄優先変動手段に相当している。
【００４９】
次に、大当り遊技（特別遊技）について説明する。第１特別図柄表示部６１で停止表示された第１特別図柄が当り特別図柄であった場合（第１特別図柄当否判定の結果が大当りだった場合）、あるいは第２特別図柄表示部６２で停止表示された第２特別図柄が当り特別図柄であった場合（第２特別図柄当否判定の結果が大当りだった場合）に、主制御基板２００のＣＰＵ２００ａは遊技者に相対的に有利な大当り遊技（特別遊技）を開始させる。大当り遊技は、大当り遊技フラグをＯＮに設定することで開始する。大当り遊技は、大入賞装置３３を作動させる、換言すると大入賞口３３ａを複数回開閉させることで、大入賞口３３ａへの遊技球の入球に関して遊技者に利益（賞球）を付与するものであり、主制御基板２００のＣＰＵ２００ａが本発明の大当り遊技実行手段に相当している。大当り遊技は、後述の特別電動役物遊技処理が繰り返し実行されることによって実現される。
【００５０】
大当り遊技中（特別遊技中）は、大入賞装置３３が作動し、大入賞口３３ａへの遊技球の入球に応じて、所定数の賞球（例えば、１個の入球に対して１５個の賞球）が払い出される。具体的には、大当り遊技の開始により、大入賞装置（特別電動役物）３３を連続して作動させ、大入賞口３３ａを開放状態と閉鎖状態とに切り替える大入賞口開閉動作が複数回連続して行われる。大入賞装置３３の作動開始により、大入賞口３３ａが開放状態となる。この開放状態は、所定の終了条件成立により終了し、開放していた大入賞口３３ａが閉鎖状態となる。所定の終了条件として、大入賞口３３ａの開放時間が所定時間（本実施例では３０秒）に達したとき、もしくは開放状態の大入賞口３３ａに入球した遊技球数が所定数（本実施例では１０個）に達したときとすることができる。
【００５１】
この大入賞口３３ａの開放状態の開始から終了までを１ラウンドとした場合、大当り遊技は、所定数のラウンドが行われることで終了する。大入賞装置３３では、大入賞口３３ａの開放が終了、すなわち大入賞口３３ａが閉鎖状態となってから所定時間（例えば２秒）が経過した後に、大入賞口３３ａは再び開放状態となり、次のラウンドが開始する。このような大入賞口３３ａの開放開始から終了までを１ラウンドとする大入賞口３３ａの開閉動作は、所定の最高継続ラウンド数（本実施例では１５ラウンド）が終了するまで繰り返し継続される。
【００５２】
本実施例の遊技機では、大当り遊技の終了後、変動時間短縮機能や開放時間延長機能、確率変動機能が作動する特定遊技（いわゆる時短遊技および確変遊技）が開始される。特別図柄当否判定（第１特別図柄当否判定および第２特別図柄当否判定）には、複数種類の大当りが設定されており、特別図柄当否判定の結果が通常大当り（特別図柄の停止図柄が通常大当り図柄）の場合には、大当り遊技終了後、時短遊技が開始され、特別図柄当否判定の結果が確変大当り（特別図柄の停止図柄が確変大当り図柄）の場合には、大当り遊技終了後、確変遊技が開始される。なお、変動時間短縮機能、開放時間延長機能、確率変動機能の各機能は、それぞれ変動短縮フラグ、開放延長フラグ、確変フラグをＯＮに設定することで作動する。
【００５３】
特別図柄当否判定の結果が通常大当り（特別図柄の停止図柄が通常大当り図柄）の場合には、大当り遊技の終了後、変動時間短縮機能および第２始動口２８ｂの開放時間を延長させる開放時間延長機能が作動開始し、時短遊技が開始される。変動時間短縮機能および開放時間延長機能は、主制御基板２００のＣＰＵ２００ａの制御により作動または停止されるものであり、変動時間短縮機能には、普通図柄変動時間を短縮させる普通図柄変動時間短縮機能と、特別図柄変動時間を短縮させる特別図柄変動時間短縮機能とが含まれている。変動時間短縮機能および開放時間延長機能は、大当り遊技終了後、次回の大当り遊技が開始されるまでの間、または特別図柄の変動回数が所定回数（本例では１００回）に到達するまで作動する。開放時間延長機能の作動により、第２始動口２８ｂへの遊技球入球頻度が、通常時（開放延長機能未作動時）に比べて高くなる。この開放時間延長機能（主制御基板２００のＣＰＵ２００ａ）が本発明の入球頻度向上手段に相当している。
【００５４】
開放時間延長機能の作動により、第２始動口２８ｂの開放パターンが所定の開放パターン（通常開放パターン）に変更され、第２始動口２８ｂの開放時間が、例えば通常時０．１秒であったのが９秒（３秒×３回開放）に延長される。これにより、第２始動口２８ｂへの遊技球入球頻度が、通常時（開放延長機能未作動時）に比べて高くなる。本実施例では、開放時間延長機能作動中に上述の事前判定処理が行われた場合は、事前判定処理の結果によって、異なる第２始動口２８ｂの開放時間が設定される。具体的には、事前判定処理で第１特別図柄当否判定用乱数が確変大当りを発生させる当り値と一致していると判定された場合には、第２始動口２８ｂの開放時間が通常開放パターン（例えば９秒：３秒×３回開放）より短い開放パターンＡ（例えば３秒：１秒×３回開放）に設定され、事前判定処理で第１特別図柄当否判定用乱数が通常大当りを発生させる当り値と一致していると判定された場合には、第２始動口２８ｂの開放時間が通常の開放パターンより長い開放パターンＢ（例えば３０秒：１０秒×３回開放）に設定される。なお、第２始動口２８ｂの開放制御と開放パターンの設定は主制御基板２００のＣＰＵ２００ａによって行われ、主制御基板２００のＣＰＵ２００ａが本発明の第２始動口開放手段と開放パターン設定手段に相当している。
【００５５】
特別図柄当否判定の結果が確変大当り（特別図柄の停止図柄が確変大当り図柄）の場合には、大当り遊技の終了後、確率変動機能が作動開始し、確変遊技が開始される。確変遊技は、主制御基板２００のＣＰＵ２００ａの制御により実現されるものであり、この確変遊技では、上記変動時間短縮機能および開放時間延長機能に加え、特別図柄当否判定の確率、すなわち特別図柄が大当り図柄で停止表示する確率を変更（向上）させる確率変動機能が作動する。確率変動機能作動中は、当否判定用の当り値が増加することで、特別図柄当否判定の当選確率が向上する。本実施例では、通常遊技用の当り値が「１、３」に対して、確変遊技用の当り値が「１、３、５、７、９、１０、…、１００」の計２０個となっており、当選確率が１／３００から１／３０に増加する。確率変動機能は、大当り遊技終了後、次回の大当り遊技が開始されるまで作動する。なお、主制御基板２００のＣＰＵ２００ａが本発明の確率変動手段に相当している。
【００５６】
次に、演出表示装置２５で表示される演出図柄について説明する。図３は、演出表示装置２５の画面表示例を示している。図３に示すように、演出表示装置２５の表示領域には、演出図柄を表示する演出図柄表示部２５ａ〜２５ｃが設けられている。演出図柄表示部２５ａ〜２５ｃの演出図柄は第１特別図柄表示部６１の第１特別図柄または第２特別図柄表示部６２の第２特別図柄の変動表示および停止表示に連動して表示される。
【００５７】
演出図柄表示部２５ａ〜２５ｃは、左図柄が表示される左図柄表示領域２５ａ、中図柄が表示される中図柄表示領域２５ｂ、右図柄が表示される右図柄表示領域２５ｃからなる３つの図柄表示領域から構成されている。各図柄表示領域２５ａ〜２５ｃは、これらの表示領域の配置方向と略直交する向き、この場合、上下方向（縦方向）に図柄変動方向が設定されている。各図柄表示領域２５ａ〜２５ｃは、「１」〜「９」からなる図柄をそれぞれ表示可能となっている。
【００５８】
演出図柄は、第１特別図柄または第２特別図柄の変動表示開始により変動表示を開始し、第１特別図柄または第２特別図柄が何れかの図柄で停止表示されると、演出図柄は第１特別図柄または第２特別図柄の停止図柄に応じた図柄で停止表示される。演出図柄では、３桁同一の偶数図柄の組合せが特別図柄の通常大当り図柄に対応し、３桁同一の奇数図柄の組合せが特別図柄の確変大当り図柄に対応し、それら以外の図柄の組合せが特別図柄の外れ図柄に対応している。
【００５９】
演出図柄の変動態様（変動パターン）および停止図柄の決定は、主制御基板２００のＣＰＵ２００ａから送信される変動パターン指定コマンドに基づいてサブ制御基板２６０のＣＰＵ２６０ａによって行われるように構成されている。ここで、主制御基板２００のＣＰＵ２００ａから送信される変動パターン指定コマンドは、特別図柄の変動パターンを示すもので、具体的には、特別図柄の変動時間や、リーチ演出の有無等の演出内容を示している。主制御基板２００のＣＰＵ２００ａは、特別図柄の当否判定結果に応じて特別図柄の変動パターンをランダムに（乱数抽選により）決定する。そして、主制御基板２００のＣＰＵ２００ａにより決定された特別図柄の変動パターンに基づき、サブ制御基板２６０のＣＰＵ２６０ａが、演出図柄表示部２５ａで表示される演出図柄の演出パターンを決定する。
【００６０】
演出表示装置２５には、第１保留表示部２５ｄと第２保留表示部２５ｅが設けられている。第１保留表示部２５ｄは、第１特別図柄保留表示部５３と連動して表示され、第１特別図柄保留数に対応する数の丸図形「○」が表示される。第２保留表示部２５ｅは、第２特別図柄保留表示部５４と連動して表示され、第２特別図柄保留数に対応する数の丸図形「○」が表示される。本実施例の保留表示部２５ｄ、２５ｅでは、一番左側の丸図形「○」が最先に記憶された保留を示し、右側に向かって順番に新しく記憶された保留を示している。
【００６１】
上述のように、本実施例の遊技機１では、第１特別図柄当否判定に先立ち、第１特別図柄当否判定用乱数が当否判定用当り値と一致しているか否か（大当り情報であるか否か）を判定する事前判定処理が行われる。そして、事前判定処理の結果、第１特別図柄当否判定用乱数が当否判定用当り値と一致している場合には、演出表示装置２５の表示領域を用いて大当り発生の可能性を遊技者に予告する保留予告演出が行われる。
【００６２】
保留予告演出は、当否判定用当り値と一致している第１特別図柄当否判定用乱数の保留表示を他の保留表示と区別することができればよく、例えば演出表示装置２５の第１保留表示部２５ｄにおいて、保留予告の対象となる第１特別図柄の保留に対応する丸図形「○」を異なる種類の図柄である星図形「☆」に変化させることによって行うことができる。例えば、第１特別図柄保留数が上限の「４」であり、このうち３番目に保留された第１特別図柄の保留が当りである場合には、第１保留表示部２５ｄの表示が「○○☆○」となる。なお、保留予告は、主制御基板２００のＣＰＵ２００ａから送信される保留予告コマンドに基づいてサブ制御基板２６０のＣＰＵ２６０ａによる演出として行われるものである。
【００６３】
次に、本実施例の遊技機１の電子制御装置について、図４に基づいて説明する。図４は、電子制御装置の概略構成を示すブロック図である。
【００６４】
図４に示すように、電子制御装置は、主制御基板２００と、その主制御基板２００に接続された副制御基板２３０、２６０、２８０とを含んで構成されている。副制御基板は、払出制御基板（賞球制御基板）２３０、サブ制御基板２６０及び演出表示制御基板２８０から構成される。
【００６５】
各制御基板２００、２３０、２６０、２８０には、図示しない主電源から電源が供給されている。また、電源立上げ時には、システムリセット信号が各制御基板２００、２３０、２６０、２８０に送信される。なお、本実施例の遊技機１は、電源断時に主制御基板２００及び払出制御基板２３０に作動電圧を供給する図示しないバックアップ電源部（図示略）を備えており、電源断時にも主制御基板２００及び払出制御基板２３０のＲＡＭデータが保持される。
【００６６】
主制御基板２００は、遊技の進行を司る主制御手段を構成するものであり、各副制御基板２３０、２６０に処理内容を指示する指令信号（コマンドデータ）を送信し、各副制御基板２３０、２６０、２８０は指令信号に基づいて各種制御を行うように構成されている。
【００６７】
主制御基板２００のＣＰＵ２００ａは、ＣＰＵコア、内蔵ＲＡＭ（以下、単にＲＡＭともいう）、内蔵ＲＯＭ（以下、単にＲＯＭともいう）等を備えており、ＲＯＭに格納された制御プログラムにより、ＲＡＭをワークエリアとして遊技機１全体の作動制御（遊技の基本進行制御）を司る。また、主制御基板２００は、ＣＰＵ２００ａが主体となって、ＲＯＭに格納された当否判定プログラムにより特別図柄の当否判定を行う当否判定手段（第１当否判定手段、第２当否判定手段）を構成している。また、主制御基板２００のＣＰＵ２００ａは、特別図柄当否判定を実行する際に、ＲＯＭに格納された特別図柄の変動パターンテーブルから特定の変動パターンを決定する。なお、本実施例の主制御基板２００のＣＰＵ２００ａの制御周期は４ｍｓに設定されている。
【００６８】
主制御基板２００には、盤面入力中継基板２０１と盤面出力中継基板２０２とが接続されている。盤面入力中継基板２０１には、普通図柄作動ゲート検知スイッチ２７ｓ、始動口入球検知スイッチ２８ｓ、大入賞口入球検知スイッチ３３ｓが接続されており、これらの信号が主制御基板２００に入力するように構成されている。盤面出力中継基板２０２には、図柄表示装置（普通図柄表示部５４、第１特別図柄表示部６１、第２特別図柄表示部６２）、始動口ソレノイド２８ｃ、大入賞口ソレノイド３３ｃが接続されており、主制御基板２００からの制御信号が出力される。
【００６９】
払出制御基板２３０は、主制御基板２００のＣＰＵ２００ａと同様の構成を有するＣＰＵを備えている。払出制御基板２３０には、発射制御基板２５０、ＣＲユニット１３等が接続されている。主制御基板２００から払出制御基板２３０には、賞球払出を指示する賞球指示信号、遊技開始許可を指示する遊技開始許可信号、各種発射制御コマンド等のコマンドが送信される。各種発射制御コマンドには、球送り許可・禁止、発射許可・禁止、遊技開始許可等が含まれている。
【００７０】
サブ制御基板２６０には、ＣＰＵ２６０ａや図示しないＲＯＭ、ＲＡＭ、入出力ポート等を有する演算回路構成要素とサウンドジェネレータが設けられており、入出力ポートにおいて主制御基板２００に接続されている。サブ制御基板２６０は、各種ランプ類による装飾表示、スピーカ１０ａ〜１０ｄから出力される効果音、演出表示装置２５による図柄表示等を用いた演出制御を司るように構成されている。
【００７１】
主制御基板２００からサブ制御基板２６０には、各種ランプ制御コマンド及び各種音声制御コマンドが送信される。主制御基板２００から演出表示制御基板２８０には、サブ制御基板２６０を介して、演出図柄の表示制御を指示する各種図柄制御制御コマンドが送信される。サブ制御基板２６０から演出表示制御基板２８０には、演出表示制御を指示する各種演出表示制御コマンドが同時に送信される。
【００７２】
サブ制御基板２６０には、演出表示制御基板２８０が接続されている。演出表示制御基板２８０には、ＣＰＵ、ＲＡＭ、ＲＯＭ、入出力ポート、ＶＤＰ（ビデオディスプレイプロセッサ）等を有する演算回路構成要素（図示略）が設けられ、入出力ポートにおいてサブ制御基板２６０に接続されている。演出表示制御基板２８０には演出表示装置２５が接続されている。演出表示制御基板２８０は、ＣＰＵがＲＯＭに格納された制御プログラムに従ってＲＡＭをワークエリアとして演出表示装置２５の表示制御を行うように構成されている。演出表示制御基板２８０のＲＯＭには、演出表示装置２５で表示される演出用図柄の画像データが格納されている。
【００７３】
サブ制御基板２６０には、装飾駆動基板２６１を介して各種ＬＥＤ・ランプ２６２が接続されている。各種ＬＥＤ・ランプ２６２は、遊技効果を高めるためのものであり、これらのランプ類はゲームの進行に対応して点灯・消灯又は点滅し、遊技効果を高めている。また、サブ制御基板２６０にはアンプ基板２６３が接続されている。アンプ基板２６３にはスピーカ１０ａ〜１０ｄが接続されている。スピーカ１０ａ〜１０ｄからは、遊技の進行に対応して各種サウンド、音声等が出力される。さらに、サブ制御基板２６０には、演出ボタン基板２６４を介して演出ボタン５ｄが接続されている。サブ制御基板２６０のＣＰＵは、主制御基板２００や演出ボタン５ｄからの各種指令（演出パターン指定コマンドの受信）に基づいて、各種ＬＥＤ・ランプの点灯・点滅パターンの選択・実行処理や、スピーカ１０ａ〜１０ｄから出力される効果音データの選択・出力処理や、演出表示装置２５での演出表示のパターンの選択・実行処理等を行う。
【００７４】
次に、本実施例の遊技機１の作動をフローチャートに基づいて説明する。図５は、主制御基板２００のＣＰＵ２００ａがＲＯＭに格納されたプログラムに基づいて実行するメインジョブの一例を示している。図５に示すメインジョブは、電源投入処理Ｓ１００を実行した後、遊技開始処理Ｓ２００、普通図柄遊技処理Ｓ３００、普通電動役物遊技処理Ｓ４００、特別図柄遊技処理Ｓ５００、特別電動役物遊技処理Ｓ６００の各ステップが、タイマリセットされる毎に繰り返し実行される。電源断発生処理Ｓ７００は、停電等によって電源断が発生した場合に、使用レジスタやスタックポインタの保存、払出モータの停止等が行われ、システムリセットが発生した場合に電源投入処理Ｓ１００に移るようになっている。
【００７５】
電源投入処理Ｓ１００は、電源投入時と電源断発生後の復電時に行われるものであり、電源投入時にはＲＡＭ初期化処理等が行われ、電源断復帰時には電源断時の遊技状態に復帰させるための復帰設定等が行われ。遊技開始処理Ｓ２００では、各種スイッチ状態の検出、各種乱数の更新、賞球制御等が行われる。
【００７６】
普通図柄遊技処理Ｓ３００では、まず、普通図柄の当否判定を行って、普通図柄表示部５１（図２参照）にて普通図柄を当り図柄で停止表示させるか、外れ図柄で停止表示させるかを決定する。次に、普通図柄の変動表示時間を設定した後、普通図柄の変動表示を開始する。そして、変動表示時間が経過すると、決定しておいた図柄で普通図柄を停止表示させ、普通図柄の当り図柄が停止表示された場合には、普通電動役物の作動を開始させる（第２始動口２８ｂを開放状態とする）。普通図柄遊技処理では、以上のようにして、普通図柄の変動表示および停止表示を行い、普通図柄が当り図柄で停止表示された場合には、第２始動口２８ｂを作動させる処理を行う。第２始動口２８ｂが作動すると、一対の翼片部が左右に開動作して、第２始動口２８ｂが開放状態となる。
【００７７】
普通電動役物遊技処理Ｓ４００では、第２始動口２８ｂを開放状態に維持する開放時間が経過したか否かを判定し、開放時間が経過していない場合には、第２始動口２８ｂに規定入賞数の入賞があったか否かを判定する。開放状態にある第２始動口２８ｂに規定入賞数の入賞があったと判定されるか、開放状態にある第２始動口２８ｂの開放時間が経過していると判定された場合には、一対の翼片部２８ｃが閉動作して、第２始動口２８ｂは閉鎖状態（通常状態）となる。
【００７８】
次に、特別図柄遊技処理Ｓ５００を図６〜図１１のフローチャートに基づいて説明する。図６（ａ）に示すように、まず、始動口入賞処理を行う（Ｓ５０１）。ここで、始動口入賞処理について図７のフローチャートに基づいて説明する。
【００７９】
まず、第１始動口２８ａに入賞したか否かを判定し（Ｓ５５０）、第１始動口２８ａに入賞していないと判定された場合には（Ｓ５５０：ＮＯ）。Ｓ５５６の処理に移行する。一方、第１始動口２８ａに入賞したと判定された場合には（Ｓ５５０：ＹＥＳ）、第１特別図柄保留数が４未満であるか否かを判定する（Ｓ５５１）。この結果、第１特別図柄保留数が４未満であると判定された場合には（Ｓ５５１：ＹＥＳ）、第１特別図柄用乱数（第１図柄当否判定情報）を取得して記憶する（Ｓ５５２）。第１特別図柄用乱数は、第１特別図柄当否判定用乱数、第１特別図柄の当り図柄決定用乱数、リーチ乱数などからなる。これにより、第１特別図柄保留数が１増加する。
【００８０】
次に、第１特別図柄保留数コマンドをサブ制御基板２６０に送信する（Ｓ５５３）。第１特別図柄保留数コマンドは、第１特別図柄保留数を演出表示装置２５の第１保留表示部２５ｄに表示させるためのコマンドである。
【００８１】
次に、第１特別図柄事前判定処理を行う（Ｓ５５４）。ここで、第１特別図柄事前判定処理を図８のフローチャートに基づいて説明する。まず、Ｓ５５２で記憶した第１特別図柄当否判定用乱数が当り値と一致しているか否か（大当り情報であるか否か）を判定する（Ｓ５５４０）。本実施例では、第１特別図柄当否判定用乱数が通常遊技用の当り値「１、３」と一致しているか否かを判定する。このため、Ｓ５５４０では、確変遊技中であっても確変遊技用に増加した当り値「５、７、９、１０、…、１００」については事前判定の対象としていない。これは、第１特別図柄当否判定用乱数が確変遊技用に増加した当り値と一致し、保留予告を行った後で確変遊技が終了した場合に、保留予告対象となった第１特別図柄の保留が当りでなくなることを防ぐためである。
【００８２】
Ｓ５５２０の判定処理の結果、第１特別図柄当否判定用乱数が当り値と一致していないと判定された場合、つまり第１特別図柄の保留が外れである場合には（Ｓ５５４０：ＮＯ）、開放パターン変更処理を実行することなく第１特別図柄事前判定処理を終了する。このため、第２始動口２８ｂの開放時間は後述のＳ６１４４で設定される通常開放パターン（９秒：３秒×３回開放）のままとなる。一方、第１特別図柄当否判定用乱数が当り値と一致していると判定された場合には（Ｓ５５４０：ＹＥＳ）、その第１特別図柄当否判定用乱数とともにＳ５５２（図７参照）で記憶した第１特別図柄当否判定用乱数が確変大当りを発生させる当り値と一致しているか否かを判定する（Ｓ５５４１）。
【００８３】
この結果、第１特別図柄当否判定用乱数が確変大当りを発生させる当り値と一致していると判定された場合には（Ｓ５５４１：ＹＥＳ）、第１特別図柄保留確変当りフラグをＯＮにセットする（Ｓ５５４２）。一方、第１特別図柄当否判定用乱数が確変大当りを発生させる当り値と一致していない、つまり通常大当りを発生させる当り値と一致していると判定された場合には（Ｓ５５４１：ＮＯ）、第１特別図柄保留通常当りフラグをＯＮにセットする（Ｓ５５４３）。
【００８４】
次に、開放パターン変更処理を行う（Ｓ５５４４）。ここで、開放パターン変更処理を図９のフローチャートに基づいて説明する。まず、開放延長フラグがＯＮであるか否か（開放時間延長機能が作動中であるか否か）を判定する（Ｓ５５４４ａ）。この結果、開放延長フラグがＯＮでない（開放時間延長機能が非作動中である）と判定された場合には（Ｓ５５４４ａ：ＮＯ）、開放パターン設定処理を終了する。一方、開放延長フラグがＯＮである（開放時間延長機能が作動中である）と判定された場合には（Ｓ５５４４ａ：ＹＥＳ）、第１特別図柄保留確変当りフラグがＯＮであるか否か、すなわちＳ５５４１の判定結果が第１特別図柄当否判定用乱数が確変大当りを発生させる当り値と一致しているという結果だったか否か判定する（Ｓ５５４４ｂ）。
【００８５】
この結果、第１特別図柄保留確変当りフラグがＯＮであると判定された場合には（Ｓ５５４４ｂ：ＹＥＳ）、第２始動口２８ａの開放時間が通常開放パターン（９秒：３秒×３回開放）より短い開放パターンＡ（３秒：１秒×３回開放）を設定する（Ｓ５５４４ｃ）。これにより、第１特別図柄事前判定において第１特別図柄当否判定用乱数が確変大当りを発生させる当り値と一致していると判定された場合には、第２始動口２８ａの開放時間が通常開放パターンより短い開放パターンＡが設定される。このため、開放延長機能の作動時間を短縮させて、第１特別図柄の保留に基づく当否判定の実行時期を早めることができ、通常大当りより遊技者に有利な確変大当りを早期に発生させることができる。なお、第１特別図柄の保留が複数存在する場合には、通常大当りを発生させる保留と確変大当りを発生させる保留が存在する場合、つまり第１特別図柄保留確変当りフラグと第１特別図柄保留通常当りフラグが両方ともＯＮに設定されている場合があり得る。この場合には、確変大当りを発生させる保留を優先させ、第２始動口２８ａの開放時間が通常開放パターンより短い開放パターンＡが設定される。
【００８６】
一方、第１特別図柄保留確変当りフラグがＯＮでないと判定された場合には（Ｓ５５４４ｂ：ＹＥＳ）、第２始動口２８ａの開放時間が通常開放パターンより長い開放パターンＢ（３０秒：１０秒×３回開放）を設定する（Ｓ５５４４ｄ）。これにより、第１特別図柄事前判定において第１特別図柄当否判定用乱数が通常大当りを発生させる当り値と一致していると判定された場合には、第２始動口２８ａの開放時間が通常開放パターンより長い開放パターンＢが設定される。このため、開放延長機能の作動時間を長くして、第１特別図柄の保留に基づく当否判定の実行時期を遅らせることができ、確変大当りより遊技者に不利な通常大当りの発生を遅らせることができる。
【００８７】
次に、図７の始動口入賞処理に戻り、第１特別図柄事前判定結果コマンドをサブ制御基板２６０に送信する（Ｓ５５５）。第１特別図柄事前判定結果コマンドは、第１特別図柄事前判定の結果を示しており、第１特別図柄当否判定用乱数が当り値と一致しているか否かを示す当否情報、大当りの場合（第１特別図柄当否判定用乱数が当り値と一致している場合）には大当りの種類を示す大当り種別情報、リーチ演出を行うか否かを示すリーチ有無情報、リーチ演出を行う場合にはリーチ演出の種類を示すリーチ種別情報などを含んでいる。サブ制御基板２６０のＣＰＵ２６０ａは、第１特別図柄事前判定結果コマンドの内容に基づいて、第１特別図柄当否判定用乱数が当り値と一致している場合には、第１特別図柄保留表示部２５ｄの対応する保留表示を特別態様で表示する保留予告演出を行う。
【００８８】
次に、第２始動口２８ｂに入賞したか否かを判定し（Ｓ５５６）、第２始動口２８ｂに入賞していないと判定された場合には（Ｓ５５６：ＮＯ）。始動口入賞処理を終了する。一方、第２始動口２８ｂに入賞したと判定された場合には（Ｓ５５６：ＹＥＳ）、第２特別図柄表示数が４未満であるか否かを判定する（Ｓ５５７）。この結果、第２特別図柄保留数が４未満でないと判定された場合には（Ｓ５５７：ＮＯ）、始動口入賞処理を終了し、第２特別図柄保留数が４未満であると判定された場合には（Ｓ５５７：ＹＥＳ）、第２特別図柄用乱数（第２図柄当否判定情報）を取得して記憶する（Ｓ５５８）。第２特別図柄用乱数は、第２特別図柄当否判定用乱数、第２特別図柄決定用乱数、リーチ乱数などからなる。これにより、第２特別図柄保留数が１増加する。そして、第２特別図柄保留数コマンドをサブ制御基板２６０のＣＰＵ２６０ａに送信する（Ｓ５５９）。第２特別図柄保留数コマンドは、第２特別図柄保留数を演出表示装置２５の第２保留表示部２５ｅに表示させるためのコマンドである。
【００８９】
図６（ａ）に戻り、始動口入賞処理（Ｓ５０１）から復帰すると、大当り遊技中であるか否かを判定する（Ｓ５０２）。この結果、大当り遊技中であると判定された場合には（Ｓ５０２：ＹＥＳ）、特別図柄遊技処理を終了し、大当り遊技中でないと判定された場合には（Ｓ５０２：ＮＯ）、第１特別図柄または第２特別図柄が変動中であるか否かを判定する（Ｓ５０３）。この結果、第１特別図柄または第２特別図柄のいずれかが変動中であると判定された場合には（Ｓ５０３：ＹＥＳ）、後述のＳ５１０の処理に移行し、第１特別図柄または第２特別図柄のいずれもが変動中でないと判定された場合には（Ｓ５０３：ＮＯ）、第１特別図柄または第２特別図柄の停止表示時間中であるか否かを判定する（Ｓ５０４）。第１特別図柄または第２特別図柄の停止表示時間中であると判定された場合には（Ｓ５０４：ＹＥＳ）、後述のＳ５１３の処理に移行し、第１特別図柄または第２特別図柄の停止表示時間中でないと判定された場合には（Ｓ５０４：ＮＯ）、第２特別図柄保留数がゼロであるか否かを判定する（Ｓ５０６）。この結果、第２特別図柄保留数がゼロであると判定された場合（Ｓ５０６：ＹＥＳ）には、第１特別図柄保留数がゼロであるか否かを判定する（Ｓ５０７）。
【００９０】
そして、第１特別図柄保留数がゼロであると判定された場合には（Ｓ５０７：ＹＥＳ）、特別図柄遊技処理を終了する。一方、第１特別図柄保留数がゼロでないと判定された場合には（Ｓ５０７：ＮＯ）、第１特別図柄変動表示処理を行う（Ｓ５０８）。ここで、第１特別図柄変動表示処理を図１０のフローチャートに基づいて説明する。まず、主制御基板２００のＲＡＭの所定領域（第１保留記憶領域）に記憶されている第１特別図柄当否判定用乱数（第１始動口２８ａへの遊技球入球時に取得された当否判定用乱数）を読み出し（Ｓ５０８０）、第１特別図柄当否判定を行う（Ｓ５０８１）。第１特別図柄当否判定では、確率変動機能が作動中（確変遊技中）の場合には、確率変動時の当否判定、すなわち判定結果が大当りとなる確率を高くした状態（高確率状態）で当否判定を行い、確率変動機能が作動中でない（通常遊技中）と判定された場合には、非確率変動時の当否判定、すなわち判定結果が大当りとなる確率を低くした状態（低確率状態）で当否判定を行う。
【００９１】
次に、第１特別図柄の変動パターン設定処理を行う（Ｓ５０８２）。第１特別図柄の変動パターン設定処理では、当否判定結果が大当りである場合には、大当り変動パターンを設定し、当否判定結果が外れである場合には、リーチ演出を伴うリーチ有り外れ変動パターンまたはリーチ演出を伴わないリーチ無し外れ変動パターンを設定する。そして、第１特別図柄の停止図柄を確変大当り図柄、通常大当り図柄、外れ図柄の何れかに決定する。
【００９２】
次に、Ｓ５０８２で決定された停止図柄および変動パターンに従って、第１特別図柄表示部６１で第１特別図柄の変動表示を開始する（Ｓ５０８３）。サブ制御基板２６０に第１特別図柄の変動パターン指定コマンドと停止情報指定コマンドを送信する（Ｓ５０８４）。変動パターン指定コマンドは、Ｓ５０８２で設定された変動パターンを指定するコマンドであり、第１特別図柄情報指定コマンドは、第１特別図柄の停止図柄を指定するコマンドである。
【００９３】
次に、第１特別図柄保留数を１減算し（Ｓ５０８５）、第１特別図柄保留数コマンドをサブ制御基板２６０に送信する（Ｓ５０８６）。
【００９４】
次に、図６（ａ）に戻り、Ｓ５０６の判定処理で第２特別図柄保留数がゼロでないと判定された場合には（Ｓ５０６：ＮＯ）、第２特別図柄変動表示処理を行う（Ｓ５０９）。なお、Ｓ５０６の判定処理で第２特別図柄保留数がゼロでないと判定された場合には（Ｓ５０６：ＮＯ）、第１特別図柄保留数がゼロでなくても（１以上であっても）第２特別図柄の変動表示処理が実行される。これにより、第２特別図柄が第１特別図柄よりも優先して変動表示が行われることとなり、Ｓ５０６の判定処理によって第２特別図柄の優先変動機能が実現される。
【００９５】
ここで、第２特別図柄変動表示処理を図１１のフローチャートに基づいて説明まず、主制御基板２００のＲＡＭの所定領域（第２保留記憶領域）に記憶されている第２特別図柄当否判定用乱数（第１始動口２８ａへの遊技球入球時に取得された当否判定用乱数）を読み出し（Ｓ５０９０）、第２特別図柄当否判定を行う（Ｓ５０９１）。第２特別図柄当否判定では、確率変動機能が作動中（確変遊技中）の場合には、確率変動時の当否判定、すなわち判定結果が大当りとなる確率を高くした状態（高確率状態）で当否判定を行い、確率変動機能が作動中でない（通常遊技中）と判定された場合には、非確率変動時の当否判定、すなわち判定結果が大当りとなる確率を低くした状態（低確率状態）で当否判定を行う。
【００９６】
次に、第２特別図柄の変動パターン設定処理を行う（Ｓ５０９２）。第２特別図柄の変動パターン設定処理では、当否判定結果が大当りである場合には、大当り変動パターンを設定し、当否判定結果が外れである場合には、リーチ演出を伴うリーチ有り外れ変動パターンまたはリーチ演出を伴わないリーチ無し外れ変動パターンを設定する。そして、第１特別図柄の停止図柄を確変大当り図柄、通常大当り図柄、外れ図柄の何れかに決定する。
【００９７】
次に、Ｓ５０９２で決定された停止図柄および変動パターンに従って、第１特別図柄表示部６１で第２特別図柄の変動表示を開始する（Ｓ５０８３）。サブ制御基板２６０に第２特別図柄の変動パターン指定コマンドと停止情報指定コマンドを送信する（Ｓ５０９４）。変動パターン指定コマンドは、Ｓ５０９２で設定された変動パターンを指定するコマンドであり、第２特別図柄情報指定コマンドは、第２特別図柄の停止図柄を指定するコマンドである。
【００９８】
次に、第２特別図柄保留数を１減算し（Ｓ５０９５）、第２特別図柄保留数コマンドをサブ制御基板２６０に送信する（Ｓ５０９６）。
【００９９】
次に、図６（ａ）に戻り、上記Ｓ５０３で第１特別図柄または第２特別図柄が変動中であると判定された場合には（Ｓ５０３：ＹＥＳ）、変動中の特別図柄の変動表示時間が経過しているか否かを判定する（図６（ｂ）のＳ５１０）。この結果、特別図柄の変動表示時間が経過していないと判定された場合には（Ｓ５１０：ＮＯ）、特別図柄遊技処理を終了し、特別図柄の変動表示時間が経過していると判定された場合には（Ｓ５１０：ＹＥＳ）、特別図柄の変動を停止し（Ｓ５１１）、特別図柄の停止表示時間を設定する（Ｓ５１２）。ここでは、Ｓ５０９７の停止表示時間設定処理で設定された特別図柄の停止表示時間が用いられる。
【０１００】
次に、特別図柄の停止図柄表示時間が経過したか否かを判定する（Ｓ５１３）。この結果、特別図柄の停止図柄表示時間が経過していないと判定された場合には（Ｓ５１３：ＮＯ）、特別図柄遊技処理を終了し、特別図柄の停止図柄表示時間が経過していると判定された場合には（Ｓ５１３：ＹＥＳ）、特別図柄の停止図柄が大当り図柄であるか否かを判定する（Ｓ５１４）。この結果、特別図柄の停止図柄が大当り図柄であると判定された場合には（Ｓ５１４：ＹＥＳ）、大当り遊技フラグをＯＮにセットする（Ｓ５１５）。これにより、大当り遊技が開始する。
【０１０１】
次に、確変フラグがＯＮであるか否かを判定し（Ｓ５１６）、確変フラグがＯＮであると判定された場合は（Ｓ５１６：ＹＥＳ）、確変フラグをＯＦＦにセットし（Ｓ５１７）、変動短縮フラグをＯＦＦにセットし（Ｓ５１８）、開放延長フラグをＯＦＦにセットする（Ｓ５１９）。これにより、大当り遊技の開始に伴い、確率変動機能、変動時間短縮機能、開放時間延長機能が作動停止する。
【０１０２】
一方、確変フラグがＯＮでないと判定された場合には（Ｓ５１６：ＮＯ）、変動短縮フラグがＯＮであるか否かを判定する（Ｓ５２０）。この結果、変動短縮フラグがＯＮでないと判定された場合には（Ｓ５２０：ＮＯ）、特別図柄遊技処理を終了し、変動短縮フラグがＯＮであると判定された場合には（Ｓ５２０：ＹＥＳ）、変動短縮フラグをＯＦＦにセットし（Ｓ５１８）、開放延長フラグをＯＦＦにセットする（Ｓ５１９）。これにより、大当り遊技の開始に伴い、変動時間短縮機能、開放時間延長機能が作動停止する。
【０１０３】
上記Ｓ５１４の判定処理で、特別図柄の停止図柄が大当り図柄でないと判定された場合には（Ｓ５１４：ＮＯ）、変動短縮フラグがＯＮであるか否かを判定する（Ｓ５２１）。この結果、変動短縮フラグがＯＮでないと判定された場合には（Ｓ５２１：ＮＯ）、特別図柄遊技処理を終了し、変動短縮フラグがＯＮであると判定された場合には（Ｓ５２１：ＹＥＳ）、特別図柄の変動回数を計数し（Ｓ５２２）、変動回数が予め設定された変動回数（本例では１００回）に到達したか否かを判定する（Ｓ５２３）。
【０１０４】
この結果、変動回数が予め設定された変動回数（１００回）に到達していないと判定された場合には（Ｓ５２３：ＮＯ）、特別図柄遊技処理を終了し、変動回数が予め設定された変動回数（１００回）に到達したと判定された場合には（Ｓ５２３：ＹＥＳ）、変動短縮フラグをＯＦＦにセットし（Ｓ５２４）、開放延長フラグをＯＦＦにセットする（Ｓ５２５）。これにより、変動時間短縮機能、開放時間延長機能が作動停止する。
【０１０５】
次に、特別電動役物遊技処理Ｓ６００について図１２のフローチャートに基づいて説明する。まず、大当り遊技中であるか否かを判定し（Ｓ６０１）、大当り遊技中でないと判定された場合には（Ｓ６０１：ＮＯ）、特別電動役物遊技処理を終了し、大当り遊技中であると判定された場合には（Ｓ６０１：ＹＥＳ）、大入賞口３３ａが開放中であるか否かを判定する（Ｓ６０２）。この結果、大入賞口３３ａが開放中であると判定された場合には（Ｓ６０２：ＹＥＳ）、大入賞口３３ａの開放時間が経過したか否かを判定し（Ｓ６０３）、大入賞口３３ａの開放時間が経過していないと判定された場合には（Ｓ６０３：ＮＯ）、大入賞口３３ａに最大入賞数が入賞したか否かを判定する（Ｓ６０４）。
【０１０６】
この結果、大入賞口３３ａに最大入賞数が入賞していないと判定された場合には（Ｓ６０４：ＮＯ）、特別電動役物遊技処理を終了し、大入賞口３３ａに最大入賞数が入賞していると判定された場合（Ｓ６０４：ＹＥＳ）または大入賞口３３ａの開放時間が経過していると判定された場合には（Ｓ６０３：ＹＥＳ）、大入賞口３３ａを閉鎖する（Ｓ６０５）。
【０１０７】
上記Ｓ６０２で、大入賞口３３ａが開放中でないと判定された場合には（Ｓ６０２：ＮＯ）、大当り遊技のラウンド数が所定回数に達したか否かを判定する（Ｓ６０６）。この結果、大当り遊技のラウンド数が所定回数に達していないと判定された場合には（Ｓ６０６：ＮＯ）、大入賞口３３ａの閉鎖時間（インターバル時間）が経過しているか否かを判定し（Ｓ６０７）、大入賞口３３ａの閉鎖時間が経過していないと判定された場合には（Ｓ６０７：ＮＯ）、特別電動役物遊技処理を終了し、大入賞口３３ａの閉鎖時間が経過していると判定された場合には（Ｓ６０７：ＹＥＳ）、大入賞口３３ａを開放させる（Ｓ６０８）。
【０１０８】
上記Ｓ６０６で、大当り遊技のラウンド数が所定回数に達していると判定された場合には（Ｓ６０６：ＹＥＳ）、大当り遊技を終了する（Ｓ６０９）。そして、大当り遊技の開始契機となった特別図柄当否判定の結果（停止表示された大当り図柄の種類）が確変大当りか否かを判定する（Ｓ６１０）。この結果、特別図柄当否判定の結果が確変大当りであると判定された場合には（Ｓ６１０：ＹＥＳ）、確変フラグをＯＮにセットし（Ｓ６１１）、変動短縮フラグをＯＮにセットし（Ｓ６１２）、開放延長フラグをＯＮにセットする（Ｓ６１３）。これにより、確率変動機能、変動時間短縮機能、開放時間延長機能が作動開始する。開放時間延長機能の作動開始に伴い、第２始動口２８ｂの開放時間は通常開放パターン（９秒：３秒×３回開放）に設定される。
【０１０９】
一方、Ｓ６１０の判定処理で特別図柄当否判定が確変大当りでない（通常大当りである）と判定された場合には（Ｓ６１０：ＮＯ）、変動短縮フラグをＯＮにセットし（Ｓ６１２）、開放延長フラグをＯＮにセットする（Ｓ６１３）。これにより、変動時間短縮機能、開放時間延長機能が作動開始する。
【０１１０】
次に、開放時間延長機能の作動開始に伴って、第２始動口２８ｂの開放時間を設定する開放パターン設定処理を実行する（Ｓ６１４）。ここで、開放パターン設定処理を図１３のフローチャートに基づいて説明する。
【０１１１】
まず、第１特別図柄保留確変当りフラグがＯＮにセットされているか否かを判定し（Ｓ６１４０）、第１特別図柄保留確変当りフラグがＯＮにセットされている場合には（Ｓ６１４０：ＹＥＳ）、第２始動口２８ａの開放時間として開放パターンＡ（３秒：１秒×３回開放）を設定する（Ｓ６１４１）。一方、第１特別図柄保留確変当りフラグがＯＮにセットされていない場合には（Ｓ６１４０：ＮＯ）、第１特別図柄保留通常当りフラグがＯＮにセットされているか否かを判定し（Ｓ６１４２）、第１特別図柄保留通常当りフラグがＯＮにセットされている場合には（Ｓ６１４２：ＹＥＳ）、第２始動口２８ａの開放時間として開放パターンＢ（３０秒：１０秒×３回開放）を設定する（Ｓ６１４３）。一方、第１特別図柄保留通常当りフラグがＯＮにセットされていない場合には（Ｓ６１４２：ＮＯ）、第２始動口２８ａの開放時間として通常開放パターン（９秒：３秒×３回開放）を設定する（Ｓ６１４４）。
【０１１２】
次に、サブ制御基板２６０のＣＰＵ２６０ａが主体となって行う第１特別図柄保留関連処理について説明する。図１３は、サブ制御基板２６０のＣＰＵ２６０ａがＲＯＭに格納されたプログラムに基づいて実行する第１特別図柄保留関連処理の流れを示すフローチャートであり、この処理はサブ制御基板２６０のＣＰＵ２６０ａが実行する図示しないメインルーチンのサブルーチンとして実行される。
【０１１３】
まず、主制御基板２００から第１特別図柄保留数コマンドを受信したか否かを判定する（Ｓ８００）。この結果、第１特別図柄保留数コマンドを受信していない場合には（Ｓ８００：ＮＯ）、Ｓ８０２の処理に移行し、第１特別図柄保留数コマンドを受信している場合には（Ｓ８００：ＹＥＳ）、第１特別図柄の保留表示を更新する（Ｓ８０１）。具体的には、サブ制御基板２６０のＣＰＵ２６０ａから演出表示制御基板２８０のＣＰＵに第１特別図柄保留表示コマンドを送信し、演出表示制御基板２８０のＣＰＵが第１特別図柄保留表示コマンドに基づいて演出表示装置２５の第１保留表示部２５ｄの保留表示を最新の情報に更新する。
【０１１４】
次に、主制御基板２００から第１特別図柄事前判定結果コマンドを受信したか否かを判定する（Ｓ８０２）。この結果、第１特別図柄事前判定結果コマンドを受信していない場合には（Ｓ８０２：ＮＯ）、第１特別図柄保留関連処理を終了し、第１特別図柄事前判定結果コマンドを受信している場合には（Ｓ８０２：ＹＥＳ）、当り保留であるか否かを判定する（Ｓ８０３）。この結果、当り保留であると判定された場合には（Ｓ８０３：ＹＥＳ）、第１特別図柄保留表示部２５ｄの対応する保留表示を特別態様で表示する保留予告演出を行う（Ｓ８０４）。保留予告演出では、演出表示制御基板２８０のＣＰＵに保留予告コマンドを送信し、演出表示制御基板２８０のＣＰＵが保留予告コマンドに基づいて演出表示装置２５の第１保留表示部２５ｄの保留表示を変更する。保留予告演出は、例えば演出表示装置２５で表示される第１保留表示部２５ｄの丸図形「○」を星図形「☆」に変更することで行うことができる。これにより、遊技者は保留されている第１特別図柄当否判定用乱数のうち星図形「☆」に対応する乱数が当り値と一致しており、大当り発生の可能性があることを認識することができる。
【０１１５】
次に、開放時間延長機能が作動しているか否かを判定する（Ｓ８０５）。開放時間延長機能が作動しているか否かは、例えば、大当り遊技終了時や特別図柄変動開始時に主制御基板２００のＣＰＵ２００ａから送信される遊技状態を示すコマンド（大当りエンディング指定コマンド、遊技状態指定コマンドなど）に基づいてサブ制御基板２６０のＣＰＵ２６０ａが判断することができる。
【０１１６】
この結果、開放時間延長機能が作動していないと判定された場合には（Ｓ８０５：ＮＯ）、第１特別図柄保留関連処理を終了し、開放時間延長機能が作動していると判定された場合には（Ｓ８０５：ＹＥＳ）、当り保留の種類が確変大当りであるか否か、すなわち第１特別図柄事前判定コマンドで特定される第１特別図柄事前判定結果が確変大当りであるか否かを判定する（Ｓ８０６）。
【０１１７】
この結果、当り保留が確変大当りである場合には（Ｓ８０６：ＹＥＳ）、第１特別報知処理を実行する（Ｓ８０７）。第１特別報知処理では、第２特別図柄の保留を消化させる（遊技球を第２始動口２８ｂに遊技球を入球させないようにする）旨の報知を行う。これにより、第２特別図柄の保留が早期になくなって、第１特別図柄の保留に基づく当否判定が行われるため、保留予告演出の対象となった確変大当りを早期に発生させることができる。
【０１１８】
一方、当り保留が確変大当りでない場合、つまり当り保留が通常大当りである場合には（Ｓ８０６：ＮＯ）、第２特別報知処理を実行する（Ｓ８０８）。第２特別報知処理では、第２特別図柄での遊技を継続させる（遊技球を第２始動口２８ｂに遊技球を入球させるようにする）旨の報知を行う。これにより、第２特別図柄の保留に基づく当否判定が継続して行われ、保留予告演出の対象となった通常大当りの発生を遅らせることができる。
【０１１９】
Ｓ８０３の判定処理で、当り保留でないと判定された場合には（Ｓ８０３：ＮＯ）、開放時間延長機能が作動しているか否かを判定する（Ｓ８０９）。この結果、開放時間延長機能が作動していないと判定された場合には（Ｓ８０９：ＮＯ）、第１特別図柄保留関連処理を終了する。一方、開放時間延長機能が作動していると判定された場合には（Ｓ８０９：ＹＥＳ）、第１特別報知処理を実行中であるか否か、つまり第１特別図柄の保留に確変大当りを発生させる当り保留が含まれている否かを判定する（Ｓ８１０）。
【０１２０】
この結果、第１特別報知処理を実行中であると判定された場合には（Ｓ８１０：ＹＥＳ）、第１特別図柄保留関連処理を終了する。一方、第１特別報知処理を実行中でない、つまり第１特別図柄の保留に確変大当りを発生させる当り保留が含まれていないと判定された場合には（Ｓ８１０：ＮＯ）、第１特別図柄保留数が上限に達しているか否かを判定する（Ｓ８１１）。
【０１２１】
この結果、第１特別図柄保留数が上限に達していないと判定された場合には（Ｓ８１１：ＮＯ）、第１特別図柄保留関連処理を終了する。一方、第１特別図柄保留数が上限に達していると判定された場合には（Ｓ８１１：ＹＥＳ）、第３特別報知処理を実行する（Ｓ８１２）。第３特別報知処理では、第１特別図柄の保留を消化させる（遊技球を第１始動口２８ａに遊技球を入球させるようにする）旨の報知を行う。これにより、すべてが外れ保留である第１特別図柄の保留を一掃させて、新たに発生する第１特別図柄の保留による第１特別図柄事前判定を行うことができる。また、開放時間延長機能作動中は、第２特別図柄の優先変動が行われるが、開放時間延長機能の作動終了後は第２始動口２８ｂにほとんど遊技球が入球しないため第１特別図柄の変動表示が行われる。このため、開放時間延長機能作動中に第１特別図柄の当り保留をストックしておくことで、開放時間延長機能の作動終了後、第１特別図柄の保留に起因する大当りを早期に発生させることができる。
【０１２２】
ここで、図６〜図１４のフローチャートに示した処理と本発明との対応について説明しておくと、Ｓ５５２の処理が本発明の第１保留記憶手段の一態様で、Ｓ５５８の処理が本発明の第２保留記憶手段の一態様で、Ｓ５０８が本発明の第１図柄表示制御手段の一態様で、Ｓ５０９が本発明の第２図柄表示制御手段の一態様で、Ｓ５０６が本発明の第２図柄優先変動手段の一態様で、Ｓ５５４が本発明の第１図柄事前判定手段の一態様で、Ｓ５５４４、Ｓ６１４が本発明の開放パターン設定手段の一態様である。
【０１２３】
以上説明した本実施例では、第１特別図柄事前判定により肯定判定（大当り判定）が得られた場合には、大当りの種類（確変大当りまたは通常大当り）に応じて、開放時間延長機能作動時の第２始動口２８ｂの入球頻度を設定することで、大当りの種類により第１特別図柄事前判定の対象となった第１特別図柄の変動表示が開始するまでの第２始動口への遊技球の入球頻度を変化させることができる。これにより、新規な遊技性を提供することができ、遊技興趣を向上させることができる。さらに、本実施例では、第２始動口２８ｂの開放時間を変化させることで入球頻度を変化させているので、大当りの種類により第１特別図柄事前判定の対象となった第１特別図柄の変動表示に起因する大当り発生時期を変化させることができる。
【０１２４】
具体的には、事前判定において、第１特別図柄当否判定用乱数が確変大当りを発生させる当り値と一致していると判定された場合には、第２始動口２８ａの入球頻度を低下させることで、優先変動する第２特別図柄の当否判定が実行される機会を減少させることができ、保留予告対象となった確変大当りに先行して、第２特別図柄の保留に起因して遊技者に不利な通常大当りが先行して発生することを抑制することができる。さらに、本実施例では、第２始動口２８ａの開放時間を短縮しているので、遊技の進行が早まって保留予告対象となった確変大当りを早期に発生させることができる。
【０１２５】
また、事前判定において、第１特別図柄当否判定用乱数が通常大当りを発生させる当り値と一致していると判定された場合には、第２始動口２８ａの入球頻度を向上させることで、優先変動する第２特別図柄の当否判定が実行される機会を増加させることができ、保留予告対象となった通常大当りに先行して、第２特別図柄の保留によって確変大当りが発生する可能性を増加させることができる。特に確変遊技中には、通常大当りの発生によって確変遊技が終了してしまうので、このように第１特別図柄の保留に基づく通常大当りの発生を遅らせることで、確変遊技が継続する可能性を大きくすることができる。さらに、本実施例では、第２始動口２８ａの開放時間を延長しているので、遊技の進行が遅くなって保留予告対象となった通常大当りの発生を遅らせることができる。
【０１２６】
また、上述した第２始動口２８ａの開放パターンの特殊な設定に加えて、サブ制御基板２６０による第１特別図柄保留関連処理により、有利に遊技を進行可能な遊技態様を遊技者に報知することで、第１特別図柄の変動表示に起因する大当り発生の早期化、遅延化をより効果的に行うことができる。
【０１２７】
（第２実施例）
次に、本発明の第２実施例について説明する。以下、上記第１実施例と異なる部分についてのみ説明する。
【０１２８】
本実施例の遊技機１では、特別図柄の大当り図柄の種類により２種類の大当り遊技が用意されている。大当り図柄が通常大当り図柄または確変大当り図柄だった場合、すなわち特別図柄当否判定の結果が通常大当りまたは確変大当りだった場合には、第１大当り遊技が開始する。そして、大当り図柄が特定大当り図柄だった場合、すなわち特別図柄当否判定の結果が特定大当りだった場合には、第２大当り遊技が開始する。第２大当り遊技は、第１大当り遊技より大入賞口３３ａの開放回数（最高継続ラウンド数）が少なく、かつ、大入賞口３３ａの開放時間が短く設定されている。つまり、第１大当り遊技は、大入賞口３３ａに多量の遊技球が入球することで多量の賞球払い出しを伴う（賞球払い出しが行われる可能性の高い）大当り遊技状態であり、第２大当り遊技は、大入賞口３３ａに遊技球が入球する可能性が極めて低く賞球払い出しを実質的に伴わない（賞球払い出しが行われる可能性の低い）大当り遊技状態である。
【０１２９】
本実施例では、第１大当り遊技の最高継続ラウンド数が１５ラウンドで大入賞口３３ａの開放時間が例えば３０秒に設定され、第２大当り遊技の最高継続ラウンド数が２ラウンドで大入賞口３３ａの開放時間が例えば０．２秒に設定されている。第２大当り遊技が発生した場合には、第２大当り遊技状態は短時間で終了するので、ほとんど賞球が得られない。なお、本実施例では、第１大当り遊技を１５Ｒ大当りともいい、第２大当り遊技を２Ｒ大当りともいうものとする。本第２実施例では、第１特別図柄保留当りフラグには、第１特別図柄決定用乱数が確変大当り図柄または通常大当り図柄に対応する場合に設定される第１特別図柄保留１５Ｒ当りフラグと、第１特別図柄決定用乱数が特定大当り図柄に対応する場合に設定される第１特別図柄保留２Ｒ当りフラグが含まれている。
【０１３０】
図１５は、本第２実施例の第１特別図柄事前判定処理の流れを示すフローチャートであり、上記第１実施例の図８に対応している。図１５に示すように、本第２実施例では、第１特別図柄当否判定用乱数が当り値と一致していると判定された場合には（Ｓ５５４０：ＹＥＳ）、その第１特別図柄当否判定用乱数とともにＳ５５２（図７参照）で記憶した第１特別図柄決定用乱数が特定大当り図柄に対応しているか否かを判定する（Ｓ５５４１’）。
【０１３１】
この結果、第１特別図柄決定用乱数が特定大当り図柄に対応していないと判定された場合、すなわち大当りの種類が１５Ｒ大当りであると判定された場合（第１特別図柄当否判定用乱数が第１大当りを導出させる第１大当り情報であると判定された場合）には（Ｓ５５４１’：ＮＯ）、第１特別図柄保留１５Ｒ当りフラグをＯＮに設定する（Ｓ５５４２’）。一方、第１特別図柄決定用乱数が特定大当り図柄に対応していると判定された場合、すなわち大当りの種類が２Ｒ大当りであると判定された場合（第１特別図柄当否判定用乱数が第２大当りを導出させる第２大当り情報であると判定された場合）には（Ｓ５５４１’：ＹＥＳ）、第１特別図柄保留２Ｒ当りフラグをＯＮに設定する（Ｓ５５４３’）。
【０１３２】
図１６は、本第２実施例の開放パターン変更処理の流れを示すフローチャートであり、上記第１実施例の図９に対応している。図１６に示すように、本第２実施例では、開放時間延長機能作動時に第１特別図柄保留１５Ｒ当りフラグがＯＮに設定されているか否かを判定する（Ｓ５５４４ｂ’）。この結果、第１特別図柄保留１５Ｒ当りフラグがＯＮに設定されていると判定された場合には（Ｓ５５４４ｂ’：ＹＥＳ）、第２始動口２８ａの開放時間が通常開放パターン（９秒：３秒×３回開放）より短い開放パターンＡ（３秒：１秒×３回開放）を設定する（Ｓ５５４４ｃ）。一方、第１特別図柄保留１５Ｒ当りフラグがＯＮに設定されていないと判定された場合には（Ｓ５５４４ｂ’：ＮＯ）、第２始動口２８ａの開放時間が通常開放パターンより長い開放パターンＢ（３０秒：１０秒×３回開放）を設定する（Ｓ５５４４ｄ）。
【０１３３】
図１７は、本第２実施例の開放パターン設定処理の流れを示すフローチャートであり、上記第１実施例の図１３に対応している。図１７に示すように、本第２実施例では、第１特別図柄保留１５Ｒ当りフラグがＯＮに設定されているか否かを判定する（Ｓ６１４０）。この結果、第１特別図柄保留１５Ｒ当りフラグがＯＮに設定されていると判定された場合には（Ｓ６１４０：ＹＥＳ）、開放パターンＡ（３秒：１秒×３回開放）を設定する（Ｓ６１４１）。一方、第１特別図柄保留１５Ｒ当りフラグがＯＮに設定されていないと判定された場合には（Ｓ６１４０：ＮＯ）、第１特別図柄保留２Ｒ当りフラグがＯＮに設定されているか否かを判定する（Ｓ６１４２）。
【０１３４】
この結果、第１特別図柄保留２Ｒ当りフラグがＯＮに設定されていると判定された場合には（Ｓ６１４２：ＹＥＳ）、開放パターンＢ（３０秒：１０秒×３回開放）を設定する（Ｓ６１４３）。一方、第１特別図柄保留２Ｒ当りフラグがＯＮに設定されていないと判定された場合には（Ｓ６１４２：ＮＯ）、通常開放パターン（９秒：３秒×３回開放）を設定する（Ｓ６１４４）。
【０１３５】
以上説明した本第２実施例の構成によっても、第１特別図柄事前判定により肯定判定（大当り判定）が得られた場合には、大当りの種類により第１特別図柄事前判定の対象となった第１特別図柄の変動表示に起因する大当り発生時期を変化させることができ、新規な遊技性を提供することができる。
【０１３６】
具体的には、第１特別図柄事前判定の判定結果が遊技者に有利な１５Ｒ大当り（賞球払い出しが行われる可能性の高い大当り）である場合には、開放延長機能の作動時間を短縮させることで、第１特別図柄当否判定の実行時期を早め、遊技者に有利な１５Ｒ大当りを早期に発生させることができる。また、第１特別図柄事前判定の判定結果が遊技者に不利な２Ｒ大当りである場合には、開放延長機能の作動時間を短縮させることで、遊技者に不利な２Ｒ大当り（賞球払い出しが行われる可能性の低い大当り）の発生を遅らせることができる。
【０１３７】
（他の実施形態）
以上、本発明の実施例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１３８】
例えば、上記各実施例の開放パターン変更処理Ｓ５５４４では、３回開放する第２始動口２８ｂの１回当りの開放時間を延長（例えば３秒を１０秒）または短縮（例えば３秒を１秒）することで、第２始動口２８ｂの１作動当りの開放時間を延長あるいは短縮するように構成したが、これに限らず、第２始動口２８ｂの開放時間は変更せず開放回数を変更することで、第２始動口２８ｂの１作動当りの開放時間を延長あるいは短縮するようしてもよい。例えば、通常開放パターン（例えば３秒×３回開放）より開放時間が短い開放パターンＡでは開放回数を減少（例えば３秒×１回開放）させることで、第２始動口２８ｂの開放時間を短縮でき、通常開放パターンより開放時間が長い開放パターンＢでは開放回数を増加（例えば３秒×１０回開放）させることで第２始動口２８ｂの開放時間を延長することができる。
【０１３９】
また、上記各実施例では、事前判定の結果が遊技者に有利な確変大当りまたは１５Ｒ当りだった場合に、通常開放パターンより第２始動口２８ｂの開放時間が短い開放パターンＡを設定するように構成したが、開放パターンＡにおける第２始動口２８ｂの開放時間をゼロに設定してもよい。つまり、事前判定の結果が確変大当りだった場合に設定される第２始動口２８ｂの開放パターンＡには、第２始動口２８ｂを開放させない場合も含むものとする。
【０１４０】
また、上記各実施例では、第２始動口２８ｂの開放時間又は開放回数が異なる開放パターンを設定することで、第２始動口２８ｂの入球頻度を変更するように構成したが、これに限らず、第２始動口２８ｂの開放角度が異なる開放パターンを設定することで、第２始動口２８ｂの入球頻度を変更するようしてもよい。例えば、第２始動口２８ｂに設けられた一対の翼片部の開放角度を変更すること等が考えられる。具体的には、一対の翼片部の各々の開放角度を８０度とする通常開放パターンと、一対の翼片部の各々の開放角度を７０度とする開放パターンＡ（通常開放パターンよりも入球し難い）と、一対の翼片部の各々の開放角度を９０度とする開放パターンＢ（通常開放パターンよりも入球し易い）と、を上記各実施例と同じ条件下で設定する。このように、一対の翼片部の間に形成される遊技球受入口の大きさを変更して、第２始動口２８ｂの入球頻度を変更することでも。上記各実施例と同等の効果を得ることができる。
【０１４１】
また、上記各実施例のＳ５５４０の判定処理では、確変遊技中には第１特別図柄当否判定用乱数が確変遊技用当り値の一部「１、３」と一致しているか否かを判定したが、これに限らず、確変遊技用当り値のすべて「１、３、５、７、９、１０、…、１００（計２０個）」を事前判定の対象としてもよい。
【０１４２】
また、上記各実施例にて事前判定結果が通常当りの場合に第２始動口２８ｂの開放時間が長い開放パターンを設定する際に、第２特別図柄保留数が既に多く存在している状態では、第２始動口２８ｂに入球する機会の増加により遊技者に賞球等が過度に払いだされ、遊技が有利に働き過ぎる虞がある。そこで、上記第１実施例の開放パターン変更処理Ｓ５５４４において、事前判定の結果が通常当り場合（Ｓ５５４４ｂ：ＮＯ）、または上記第２実施例の開放パターン変更処理Ｓ５５４４において、事前判定の結果が２Ｒ当り場合に（Ｓ５５４４ｂ’：ＮＯ）、第２特別図柄保留数に基づいて、始動口２８ｂの開放パターンの設定を行うようにすることができる。具体的には、第２特別図柄保留数が所定数以上（例えば３以上）の場合には、通常開放パターンのままとし、第２特別図柄保留数が所定数を下回っている場合（例えば３未満）には、開放パターンＢを設定すればよい。これにより、第２特別図柄保留数が多い場合に、第２始動口２８ｂの開放頻度が過度に高くなることを防止できる。この結果、遊技球が第２始動口２８ｂに入球し易くなる機会が不適切に増加することを防ぐことができ、遊技が遊技者に有利に働き過ぎることを抑制できる。
【図面の簡単な説明】
【０１４３】
【図１】本発明を適用した実施例に係る遊技機の正面図である。
【図２】遊技盤の正面図である。
【図３】演出表示装置の画面表示例を示す説明図である。
【図４】電子制御装置の概略構成を示すブロック図である。
【図５】メインジョブの流れを示すフローチャートである。
【図６（ａ）】特別図柄遊技処理を示すフローチャートである。
【図６（ｂ）】特別図柄遊技処理を示すフローチャートである。
【図７】始動口入賞処理を示すフローチャートである。
【図８】第１特別図柄事前判定処理を示すフローチャートである。
【図９】開放パターン変更処理を示すフローチャートである。
【図１０】第１特別図柄変動表示処理を示すフローチャートである。
【図１１】第２特別図柄変動表示処理を示すフローチャートである。
【図１２】特別電動役物遊技処理を示すフローチャートである。
【図１３】開放パターン設定処理の流れを示すフローチャートである。
【図１４】第１特別図柄保留関連処理を示すフローチャートである。
【図１５】第２実施例の第１特別図柄事前判定処理を示すフローチャートである。
【図１６】第２実施例の開放パターン変更処理を示すフローチャートである。
【図１７】第２実施例の開放パターン設定処理の流れを示すフローチャートである。
【符号の説明】
【０１４４】
１…遊技機、２８ａ…第１始動口、２８ｂ…第２始動口、６１…第１特別図柄表示部（第１図柄表示部）、６２…第２特別図柄表示部（第２図柄表示部）、２００…主制御基板（第１保留記憶手段、第２保留記憶手段、第１図柄表示制御手段、第２図柄表示制御手段、第２図柄優先変動手段、第１図柄事前判定手段、大当り遊技実行手段、保留予告実行手段、入球頻度向上手段、第２始動口開放手段、開放パターン設定手段）、２６０…サブ制御基板（保留予告実行手段）。
【図１】
2010029264.tif 000003
【図２】
2010029264.tif 000004
【図３】
2010029264.tif 000005
【図４】
2010029264.tif 000006
【図５】
2010029264.tif 000007
【図６（ａ）】
2010029264.tif 000008
【図６（ｂ）】
2010029264.tif 000009
【図７】
2010029264.tif 000010
【図８】
2010029264.tif 000011
【図９】
2010029264.tif 000012
【図１０】
2010029264.tif 000013
【図１１】
2010029264.tif 000014
【図１２】
2010029264.tif 000015
【図１３】
2010029264.tif 000016
【図１４】
2010029264.tif 000017
【図１５】
2010029264.tif 000018
【図１６】
2010029264.tif 000019
【図１７】
2010029264.tif 000020